(57)【要約】  【課題】  糊代領域にて貼り合わせて画像を作成する際、貼り合わせ位置がずれても糊代の空白部分が露出することによる見映えの低下を抑制できる印刷制御装置、印刷方法、及び印刷制御プログラムを提供すること  【解決手段】  画像Ｇ２には、画像Ｇ２の搬送方向始端部に上側糊代領域ＵＴが作成されており、その上側糊代領域ＵＴの禁止領域Ｈを除く領域には、画像Ｇ１の下側端部が重複して、画像Ｇ１２（所定量の画像に相当）として印刷されている。そのため、貼り合わせ位置がずれて上側糊代領域ＵＴが露出したとしても、画像Ｇ１２が印刷されているため画像Ｇ１と画像Ｇ２が連続して見えるので、貼り合わせ位置のずれが目立たず、見映えが良い。  【選択図】        図１０
2006051626.tif 000002
【特許請求の範囲】
【請求項１】
印刷データに基づいて記録紙に画像を印刷する印刷手段に接続され、その印刷手段に印刷データを送信する送信手段を備えた印刷制御装置において、
画像が印刷された複数枚の記録紙を貼り合わせて全体画像を作成するために、一方の記録紙の端部が重ねられる糊代領域であって、他方の記録紙において作成される糊代領域を取得する糊代領域取得手段と、
前記糊代領域取得手段により取得される糊代領域に、前記一方の記録紙の端部に印刷される所定量の画像を重複して印刷させるための印刷データを前記送信手段により前記印刷手段へ送信させる糊代領域印刷制御手段とを備えることを特徴とする印刷制御装置。
【請求項２】
前記糊代領域印刷制御手段は、前記他方の記録紙に作成される糊代領域のうち、記録紙縁辺側の所定の禁止領域を除く領域に、前記一方の記録紙の端部に印刷された所定量の画像を重複して印刷させるための印刷データを前記送信手段により送信させるものであることを特徴とする請求項１記載の印刷制御装置。
【請求項３】
前記糊代領域取得手段により取得される糊代領域は、前記記録紙の主走査方向または副走査方向に一定の幅寸法を有して延びるものであって、
前記糊代領域印刷制御手段は、前記他方の記録紙に作成される糊代領域のうち、前記糊代領域の幅寸法の１／２以上の領域を前記禁止領域とするものであることを特徴とする請求項２記載の印刷制御装置。
【請求項４】
前記糊代領域取得手段により取得される糊代領域は、前記他方の記録紙の縁辺の少なくとも一部に設けられる余白領域よりも内側に作成されるものであって、前記一方の記録紙の端部を重ね合わせる際に基準となるマークを前記余白領域に印刷させるためのマーク印刷データを前記送信手段により送信させるマーク印刷制御手段を備えることを特徴とする請求項１から３のいずれかに記載の印刷制御装置。
【請求項５】
記録ヘッドを搭載して主走査方向に往復移動するキャリッジと、長尺のロール紙を副走査方向に搬送する搬送手段とを有し、印刷データに対し前記キャリッジを複数パス移動させて画像を印刷する印刷手段に接続され、その印刷手段に印刷データを主走査方向の１ライン分毎に送信する送信手段を備える印刷制御装置において、
前記送信手段による文字情報や画像情報に基づく全ての印刷データの送信が完了する前に、所定の印刷中断条件が成立したことに基づいて、前記送信手段に印刷データの送信を中断させ、印刷データの送信の終了を前記印刷手段に通知する送信中断手段と、
その送信中断手段により中断された印刷データの送信を前記送信手段に再開させる送信再開手段と、
その送信中断手段により中断されるまでに送信された印刷データに基づいて印刷される一方の画像の搬送方向終端部または前記送信再開手段により再開されてから送信された印刷データに基づいて印刷される他方の画像の搬送方向始端部に作成される糊代領域を取得する糊代領域取得手段と、
前記糊代領域取得手段により取得される糊代領域に、前記一方の画像と前記他方の画像との重複部分が印刷されるように、前記送信再開手段により印刷データの送信を再開させる際に、前記送信中断手段により中断されるまでに送信された印刷データに基づく最終のラインよりも所定ライン数前の印刷データから、前記送信手段に印刷データの送信を再開させる糊代領域印刷制御手段とを有することを特徴とする印刷制御装置。
【請求項６】
前記送信中断手段は、前記送信手段による主走査方向の１ライン分の印刷データの送信後に印刷データの送信を中断するものであることを特徴とする請求項５記載の印刷制御装置。
【請求項７】
前記送信中断手段は、前記ロール紙の搬送方向終端を検出したことに基づいて、前記所定の印刷中断条件が成立したとして前記印刷データの送信を中断させるものであることを特徴とする請求項５または６に記載の印刷制御装置。
【請求項８】
前記送信中断手段は、印刷割り込み処理を検出したことに基づいて、前記所定の印刷中断条件が成立したとして前記印刷データの送信を中断させるものであることを特徴とする請求項５または６に記載の印刷制御装置。
【請求項９】
前記送信中断手段により中断される前に送信された印刷データに基づく画像が印刷された後であって、前記送信再開手段により再開された後に送信された印刷データに基づく画像が印刷される前に、印刷を行わずに前記搬送手段により前記ロール紙を所定距離搬送させるためのデータを前記印刷手段に送信することにより、前記糊代領域取得手段により取得される糊代領域に、印刷がされない禁止領域を作成させる禁止領域作成手段を有するものであることを特徴とする請求項５から８のいずれかに記載の印刷制御装置。
【請求項１０】
前記禁止領域作成手段により送信されるデータに基づいて、前記糊代領域において作成される禁止領域の副走査方向の長さは、前記糊代領域に印刷される前記一方の画像と前記他方の画像との重複部分の副走査方向の長さ以上であることを特徴とする請求項９記載の印刷制御装置。
【請求項１１】
前記印刷手段により印刷される画像は、前記ロール紙の縁辺の少なくとも一部に設けられる余白領域よりも内側に印刷されるものであって、前記一方の画像と他方の画像とを貼り合わせる際に基準となるマークを前記余白領域に印刷させるためのマーク印刷データを前記送信手段により送信させるマーク印刷制御手段を備えることを特徴とする請求項５から１０のいずれかに記載の印刷制御装置。
【請求項１２】
画像が印刷された複数枚の記録紙を貼り合わせて全体画像を作成するために、一方の記録紙の端部が重ねられる糊代領域を、他方の記録紙に作成して、画像を印刷する印刷方法において、
前記一方の記録紙の端部に印刷された所定量の画像を、前記他方の記録紙に作成される前記糊代領域に重複して印刷することを特徴とする印刷方法。
【請求項１３】
前記他方の記録紙に作成される糊代領域のうち、記録紙縁辺側の所定の禁止領域を除く領域に、前記一方の記録紙の端部に印刷された所定量の画像を重複して印刷することを特徴とする請求項１２記載の印刷方法。
【請求項１４】
前記糊代領域は、前記記録紙の主走査方向または副走査方向に一定の幅寸法を有して延びるものであって、前記他方の記録紙に作成される糊代領域のうち、前記糊代領域の幅寸法の１／２以上の領域を前記禁止領域とすることを特徴とする請求項１３記載の印刷方法。
【請求項１５】
前記糊代領域は、前記他方の記録紙の縁辺の少なくとも一部に設けられる余白領域よりも内側に作成されるものであって、前記一方の記録紙の端部を重ね合わせる際に基準となるマークを前記余白領域に印刷することを特徴とする請求項１２から１４のいずれかに記載の印刷方法。
【請求項１６】
記録ヘッドを搭載して主走査方向に往復移動するキャリッジと、長尺のロール紙を副走査方向に搬送する搬送手段とを有し、印刷データに対し前記キャリッジを複数パス移動させて画像を印刷する印刷手段に印刷データを主走査方向の１ライン分毎に送信して画像の印刷を行わせる印刷方法において、
文字情報や画像情報に基づく全ての印刷データの送信が完了する前に、所定の印刷中断条件が成立したことに基づいて、印刷データの送信を中断し、印刷データの送信の終了を前記印刷手段に通知する送信中断工程と、
その送信中断工程により中断された印刷データの送信を再開する送信再開工程と、
その送信中断工程により中断されるまでに送信された印刷データに基づいて印刷される一方の画像の搬送方向終端部または前記送信再開工程により再開されてから送信された印刷データに基づいて印刷される他方の画像の搬送方向始端部に作成される糊代領域に、前記一方の画像と前記他方の画像との重複部分が印刷されるように、前記送信再開工程により印刷データの送信を再開する際に、前記送信中断工程により中断されるまでに送信された印刷データに基づく最終のラインよりも所定ライン数前の印刷データから、印刷データの送信を再開させる糊代領域印刷制御工程とを有することを特徴とする印刷方法。
【請求項１７】
前記送信中断工程は、前記送信工程による主走査方向の１ライン分の印刷データの送信後に印刷データの送信を中断するものであることを特徴とする請求項１６記載の印刷方法。
【請求項１８】
前記送信中断工程は、前記ロール紙の搬送方向終端を検出したことに基づいて、前記所定の印刷中断条件が成立したとして前記印刷データの送信を中断させるものであることを特徴とする請求項１６または１７に記載の印刷方法。
【請求項１９】
前記送信中断工程は、印刷割り込み処理を検出したことに基づいて、前記所定の印刷中断条件が成立したとして前記印刷データの送信を中断させるものであることを特徴とする請求項１６または１７に記載の印刷方法。
【請求項２０】
前記送信中断工程により印刷データの送信が中断された後であって、前記送信再開工程により印刷データの送信が再開される前に、印刷を行わずに前記搬送手段により前記ロール紙を所定距離搬送させるためのデータを前記印刷手段に送信することにより、前記糊代領域に、印刷がされない禁止領域を作成させる禁止領域作成工程を有するものであることを特徴とする請求項１６から１９のいずれかに記載の印刷方法。
【請求項２１】
前記禁止領域作成工程により送信されるデータに基づいて、前記糊代領域において作成される禁止領域の副走査方向の長さは、前記糊代領域に印刷される前記一方の画像と前記他方の画像との重複部分の副走査方向の長さ以上であることを特徴とする請求項２０記載の印刷方法。
【請求項２２】
前記印刷手段により印刷される画像は、前記ロール紙の縁辺の少なくとも一部に設けられる余白領域よりも内側に印刷されるものであって、前記一方の画像と他方の画像とを貼り合わせる際に基準となるマークを前記余白領域に印刷させるためのマーク印刷データを、前記送信中断工程に印刷データの送信が中断される前または前記送信再開工程により印刷データの送信が再開された後、前記印刷手段に送信するマーク印刷制御工程を備えることを特徴とする請求項１６から２１のいずれかに記載の印刷方法。
【請求項２３】
印刷データに基づいて記録紙に画像を印刷する印刷手段に接続され、その印刷手段に印刷データを送信する送信手段を備えたコンピュータで実行される印刷制御プログラムにおいて、
画像が印刷された複数枚の記録紙を貼り合わせて全体画像を作成するために、一方の記録紙の端部が重ねられる糊代領域であって、他方の記録紙において作成される糊代領域を取得する糊代領域取得手段と、
前記糊代領域取得手段により取得される糊代領域に、前記一方の記録紙の端部に印刷された所定量の画像を重複して印刷させるための印刷データを前記送信手段により前記印刷手段へ送信させる糊代領域印刷制御手段として、前記コンピュータを機能させることを特徴とする印刷制御プログラム。
【請求項２４】
前記糊代領域印刷制御手段は、前記他方の記録紙に作成される糊代領域のうち、記録紙縁辺側の所定の禁止領域を除く領域に、前記一方の記録紙の端部に印刷された所定量の画像を重複して印刷させるための印刷データを前記送信手段により送信させるものであることを特徴とする請求項２３記載の印刷制御プログラム。
【請求項２５】
前記糊代領域取得手段により取得される糊代領域は、前記記録紙の主走査方向または副走査方向に一定の幅寸法を有して延びるものであって、
前記糊代領域印刷制御手段は、前記他方の記録紙に作成される糊代領域のうち、前記糊代領域の幅寸法の１／２以上の領域を前記禁止領域とするものであることを特徴とする請求項２４記載の印刷制御プログラム。
【請求項２６】
前記糊代領域取得手段により取得される糊代領域は、前記他方の記録紙の縁辺の少なくとも一部に設けられる余白領域よりも内側に作成されるものであって、
前記一方の記録紙の端部を重ね合わせる際に基準となるマークを前記余白領域に印刷させるためのマーク印刷データを前記送信手段に送信させるマーク印刷制御手段として、前記コンピュータを機能させることを特徴とする請求項２３から２５のいずれかに記載の印刷制御プログラム。
【請求項２７】
記録ヘッドを搭載して主走査方向に往復移動するキャリッジと、長尺のロール紙を副走査方向に搬送する搬送手段とを有し、印刷データに対し前記キャリッジを複数パス移動させて画像を印刷する印刷手段に接続され、その印刷手段に印刷データを主走査方向の１ライン分毎に送信する送信手段を備えるコンピュータで実行される印刷制御プログラムにおいて、
前記送信手段による文字情報や画像情報に基づく全ての印刷データの送信が完了する前に、所定の印刷中断条件が成立したことに基づいて、前記送信手段に印刷データの送信を中断させるとともに印刷データの送信の終了を前記印刷手段に通知する送信中断手段と、
その送信中断手段により中断された印刷データの送信を前記送信手段に再開させる送信再開手段と、
その送信中断手段により中断されるまでに送信された印刷データに基づいて印刷される一方の画像の搬送方向終端部または前記送信再開手段により再開されてから送信された印刷データに基づいて印刷される他方の画像の搬送方向始端部に作成される糊代領域を取得する糊代領域取得手段と、
前記糊代領域取得手段により取得される糊代領域に、前記一方の画像と前記他方の画像との重複部分が印刷されるように、前記送信再開手段により印刷データの送信を再開させる際に、前記送信中断手段により中断されるまでに送信された印刷データに基づく最終のラインよりも所定ライン数前の印刷データから、前記送信手段に印刷データの送信を再開させる糊代領域印刷制御手段として、前記コンピュータを機能させることを特徴とする印刷制御プログラム。
【請求項２８】
前記送信中断手段は、前記送信手段による主走査方向の１ライン分の印刷データの送信後に印刷データの送信を中断するものであることを特徴とする請求項２７記載の印刷制御プログラム。
【請求項２９】
前記送信中断手段は、前記ロール紙の搬送方向終端を検出したことに基づいて、前記所定の印刷中断条件が成立したとして前記印刷データの送信を中断させるものであることを特徴とする請求項２７または２８に記載の印刷制御プログラム。
【請求項３０】
前記送信中断手段は、印刷割り込み処理を検出したことに基づいて、前記所定の印刷中断条件が成立したとして前記印刷データの送信を中断させるものであることを特徴とする請求項２７または２８に記載の印刷制御プログラム。
【請求項３１】
前記送信中断手段により中断される前に送信された印刷データに基づく画像が印刷された後であって、前記送信再開手段により再開された後に送信された印刷データに基づく画像が印刷される前に、印刷を行わずに前記搬送手段により前記ロール紙を所定距離搬送させるためのデータを前記印刷手段に送信することにより、前記糊代領域取得手段により取得される糊代領域に、印刷がされない禁止領域を作成させる禁止領域作成手段として、前記コンピュータを機能させることを特徴とする請求項２７から３０のいずれかに記載の印刷制御プログラム。
【請求項３２】
前記禁止領域作成手段により送信されるデータに基づいて、前記糊代領域において作成される禁止領域の副走査方向の長さは、前記糊代領域に印刷される前記一方の画像と前記他方の画像との重複部分の副走査方向の長さ以上であることを特徴とする請求項３１記載の印刷制御プログラム。
【請求項３３】
前記印刷手段により印刷される画像は、前記ロール紙の縁辺の少なくとも一部に設けられる余白領域よりも内側に印刷されるものであって、前記一方の画像と他方の画像とを貼り合わせる際に基準となるマークを前記余白領域に印刷させるためのマーク印刷データを前記送信手段に送信させるマーク印刷制御手段として、前記コンピュータを機能させることを特徴とする請求項２７から３２のいずれかに記載の印刷制御プログラム。
【発明の詳細な説明】
【技術分野】
【０００１】
本発明は、印刷制御装置、印刷方法、及び印刷制御プログラムに関し、特に、糊代領域にて貼り合わせて画像を作成する際、貼り合わせ位置がずれても糊代の空白部分が露出することによる見映えの低下を抑制できる印刷制御装置、印刷方法、及び印刷制御プログラムに関するものである。
【背景技術】
【０００２】
記録紙のサイズに収まらない大きさの表や画像を、複数枚の記録紙に分割して記録することが行われている。それらの分割して記録された画像は、その後、貼り合わせることで、一枚の画像として扱うことになる。そのため、画像を印刷する際には記録紙に糊代となる余白部分を残しておいたり、その糊代用余白に張り合わせの際に基準となるマークを記録することが行われている。
【０００３】
図１４は、従来技術において２枚の記録紙１００，１０１に分割して印刷された文字「太」を示す図であり（ａ）は、貼り合わせる前を示す図であり、（ｂ）は、一方の記録紙に作成された糊代領域に他方の記録紙を重ね合わせて貼り合わせた後を示す図である。
【特許文献１】特開平６−１５５８４８号公報
【発明の開示】
【発明が解決しようとする課題】
【０００４】
しかしながら、糊代用余白１００ａには何も印刷しないため、図１４（ｂ）に示すように、貼り合わせ位置が少しでもずれると、糊代用余白１００ａが露出し、見映えを悪くするという問題点があった。また、記録紙として長尺のロール紙を使用し、ロール紙の長さ以上の画像を複数枚のロール紙に分割して印刷しようとするときには、その分割して印刷されるそれぞれ画像に応じた長さのロール紙を予め準備しておく必要があり、例えば使いかけのロール紙など、長さが分からない場合、そのロール紙を使用することができないという問題点もあった。
【０００５】
本発明は上述した問題点を解決するためになされたものであり、糊代領域にて貼り合わせて画像を作成する際、貼り合わせ位置がずれても糊代の空白部分が露出することによる見映えの低下を抑制できる印刷制御装置、印刷方法、及び印刷制御プログラムを提供することを目的としている。
【課題を解決するための手段】
【０００６】
この目的を達成するために、請求項１記載の印刷制御装置は、印刷データに基づいて記録紙に画像を印刷する印刷手段に接続され、その印刷手段に印刷データを送信する送信手段を備えたものであって、画像が印刷された複数枚の記録紙を貼り合わせて全体画像を作成するために、一方の記録紙の端部が重ねられる糊代領域であって、他方の記録紙において作成される糊代領域を取得する糊代領域取得手段と、前記糊代領域取得手段により取得される糊代領域に、前記一方の記録紙の端部に印刷される所定量の画像を重複して印刷させるための印刷データを前記送信手段により前記印刷手段へ送信させる糊代領域印刷制御手段とを備える。
【０００７】
なお、「記録紙」はカット紙及びロール紙などの各種用紙を含み、「画像が印刷された複数枚の記録紙」とは、画像が印刷された複数枚のカット紙であっても良いし、例えば長尺のロール紙に画像を印刷後、その長尺のロール紙を切断して複数枚の記録紙としたものであっても良い。また、「一方の記録紙の端部」とは、一方の記録紙のうち、他方の記録紙に作成された糊代領域に重ねられる領域をいう。
【０００８】
請求項２記載の印刷制御装置は、請求項１記載の印刷制御装置において、前記糊代領域印刷制御手段は、前記他方の記録紙に作成される糊代領域のうち、記録紙縁辺側の所定の禁止領域を除く領域に、前記一方の記録紙の端部に印刷された所定量の画像を重複して印刷させるための印刷データを前記送信手段により送信させるものである。
【０００９】
請求項３記載の印刷制御装置は、請求項２記載の印刷制御装置において、前記糊代領域取得手段により取得される糊代領域は、前記記録紙の主走査方向または副走査方向に一定の幅寸法を有して延びるものであって、前記糊代領域印刷制御手段は、前記他方の記録紙に作成される糊代領域のうち、前記糊代領域の幅寸法の１／２以上の領域を前記禁止領域とするものである。
【００１０】
請求項４記載の印刷制御装置は、請求項１から３のいずれかに記載の印刷制御装置において、前記糊代領域取得手段により取得される糊代領域は、前記他方の記録紙の縁辺の少なくとも一部に設けられる余白領域よりも内側に作成されるものであって、前記一方の記録紙の端部を重ね合わせる際に基準となるマークを前記余白領域に印刷させるためのマーク印刷データを前記送信手段により送信させるマーク印刷制御手段を備える。
【００１１】
請求項５記載の印刷制御装置は、記録ヘッドを搭載して主走査方向に往復移動するキャリッジと、長尺のロール紙を副走査方向に搬送する搬送手段とを有し、印刷データに対し前記キャリッジを複数パス移動させて画像を印刷する印刷手段に接続され、その印刷手段に印刷データを主走査方向の１ライン分毎に送信する送信手段を備えるものであって、前記送信手段による文字情報や画像情報に基づく全ての印刷データの送信が完了する前に、所定の印刷中断条件が成立したことに基づいて、前記送信手段に印刷データの送信を中断させ、印刷データの送信の終了を前記印刷手段に通知する送信中断手段と、その送信中断手段により中断された印刷データの送信を前記送信手段に再開させる送信再開手段と、その送信中断手段により中断されるまでに送信された印刷データに基づいて印刷される一方の画像の搬送方向終端部または前記送信再開手段により再開されてから送信された印刷データに基づいて印刷される他方の画像の搬送方向始端部に作成される糊代領域を取得する糊代領域取得手段と、前記糊代領域取得手段により取得される糊代領域に、前記一方の画像と前記他方の画像との重複部分が印刷されるように、前記送信再開手段により印刷データの送信を再開させる際に、前記送信中断手段により中断されるまでに送信された印刷データに基づく最終のラインよりも所定ライン数前の印刷データから、前記送信手段に印刷データの送信を再開させる糊代領域印刷制御手段とを有する。
【００１２】
請求項６記載の印刷制御装置は、請求項５記載の印刷制御装置において、前記送信中断手段は、前記送信手段による主走査方向の１ライン分の印刷データの送信後に印刷データの送信を中断するものである。
【００１３】
請求項７記載の印刷制御装置は、請求項５または６に記載の印刷制御装置において、前記送信中断手段は、前記ロール紙の搬送方向終端を検出したことに基づいて、前記所定の印刷中断条件が成立したとして前記印刷データの送信を中断させるものである。
【００１４】
請求項８記載の印刷制御装置は、請求項５または６に記載の印刷制御装置において、前記送信中断手段は、印刷割り込み処理を検出したことに基づいて、前記所定の印刷中断条件が成立したとして前記印刷データの送信を中断させるものである。
【００１５】
請求項９記載の印刷制御装置は、請求項５から８のいずれかに記載の印刷制御装置において、前記送信中断手段により中断される前に送信された印刷データに基づく画像が印刷された後であって、前記送信再開手段により再開された後に送信された印刷データに基づく画像が印刷される前に、印刷を行わずに前記搬送手段により前記ロール紙を所定距離搬送させるためのデータを前記印刷手段に送信することにより、前記糊代領域取得手段により取得される糊代領域に、印刷がされない禁止領域を作成させる禁止領域作成手段を有するものである。
【００１６】
なお、上記「ロール紙を所定距離搬送させるためのデータ」は、前記送信中断手段により中断される前に送信された印刷データに基づく画像が印刷された後であって、前記送信再開手段により再開された後に送信された印刷データに基づく画像が印刷される前に前記搬送手段により前記ロール紙を所定距離搬送させるものであればよく、前記禁止領域作成手段による上記データの送信のタイミングは当業者により適宜定められる。
【００１７】
請求項１０記載の印刷制御装置は、請求項９記載の印刷制御装置において、前記禁止領域作成手段により送信されるデータに基づいて、前記糊代領域において作成される禁止領域の副走査方向の長さは、前記糊代領域に印刷される前記一方の画像と前記他方の画像との重複部分の副走査方向の長さ以上であることを特徴とする。
【００１８】
請求項１１記載の印刷制御装置は、請求項５から１０のいずれかに記載の印刷制御装置において、前記印刷手段により印刷される画像は、前記ロール紙の縁辺の少なくとも一部に設けられる余白領域よりも内側に印刷されるものであって、前記一方の画像と他方の画像とを貼り合わせる際に基準となるマークを前記余白領域に印刷させるためのマーク印刷データを前記送信手段により送信させるマーク印刷制御手段を備える。
【００１９】
請求項１２記載の印刷方法は、画像が印刷された複数枚の記録紙を貼り合わせて全体画像を作成するために、一方の記録紙の端部が重ねられる糊代領域を、他方の記録紙に作成して、画像を印刷する印刷方法であって、前記一方の記録紙の端部に印刷された所定量の画像を、前記他方の記録紙に作成される前記糊代領域に重複して印刷することを特徴とする。
【００２０】
なお、「記録紙」はカット紙及びロール紙などの各種用紙を含み、「画像が印刷された複数枚の記録紙」とは、画像が印刷された複数枚のカット紙であっても良いし、例えば長尺のロール紙に画像を印刷後、その長尺のロール紙を切断して複数枚の記録紙としたものであっても良い。また、「一方の記録紙の端部」とは、一方の記録紙のうち、他方の記録紙に作成された糊代領域に重ねられる領域をいう。
【００２１】
請求項１３記載の印刷方法は、請求項１２記載の印刷方法において、前記他方の記録紙に作成される糊代領域のうち、記録紙縁辺側の所定の禁止領域を除く領域に、前記一方の記録紙の端部に印刷された所定量の画像を重複して印刷することを特徴とする。
【００２２】
請求項１４記載の印刷方法は、請求項１３記載の印刷方法において、前記糊代領域は、前記記録紙の主走査方向または副走査方向に一定の幅寸法を有して延びるものであって、前記他方の記録紙に作成される糊代領域のうち、前記糊代領域の幅寸法の１／２以上の領域を前記禁止領域とすることを特徴とする。
【００２３】
請求項１５記載の印刷方法は、請求項１２から１４のいずれかに記載の印刷方法において、前記糊代領域は、前記他方の記録紙の縁辺の少なくとも一部に設けられる余白領域よりも内側に作成されるものであって、前記一方の記録紙の端部を重ね合わせる際に基準となるマークを前記余白領域に印刷することを特徴とする。
【００２４】
請求項１６記載の印刷方法は、記録ヘッドを搭載して主走査方向に往復移動するキャリッジと、長尺のロール紙を副走査方向に搬送する搬送手段とを有し、印刷データに対し前記キャリッジを複数パス移動させて画像を印刷する印刷手段に印刷データを主走査方向の１ライン分毎に送信して画像の印刷を行わせる印刷方法において、文字情報や画像情報に基づく全ての印刷データの送信が完了する前に、所定の印刷中断条件が成立したことに基づいて、印刷データの送信を中断し、印刷データの送信の終了を前記印刷手段に通知する送信中断工程と、その送信中断工程により中断された印刷データの送信を再開する送信再開工程と、その送信中断工程により中断されるまでに送信された印刷データに基づいて印刷される一方の画像の搬送方向終端部または前記送信再開工程により再開されてから送信された印刷データに基づいて印刷される他方の画像の搬送方向終端部に作成される糊代領域に、前記一方の画像と前記他方の画像との重複部分が印刷されるように、前記送信再開工程により印刷データの送信を再開する際に、前記送信中断工程により中断されるまでに送信された印刷データに基づく最終のラインよりも所定ライン数前の印刷データから、印刷データの送信を再開させる糊代領域印刷制御工程とを有する。
【００２５】
請求項１７記載の印刷方法は、請求項１６記載の印刷方法において、前記送信中断工程は、前記送信工程による主走査方向の１ライン分の印刷データの送信後に印刷データの送信を中断するものであることを特徴とする。
【００２６】
請求項１８記載の印刷方法は、請求項１６または請求項１７に記載の印刷方法において、前記送信中断工程は、前記ロール紙の搬送方向終端を検出したことに基づいて、前記所定の印刷中断条件が成立したとして前記印刷データの送信を中断させるものであることを特徴とする。
【００２７】
請求項１９記載の印刷方法は、請求項１６または請求項１７に記載の印刷方法において、前記送信中断工程は、印刷割り込み処理を検出したことに基づいて、前記所定の印刷中断条件が成立したとして前記印刷データの送信を中断させるものであることを特徴とする。
【００２８】
請求項２０記載の印刷方法は、請求項１６から１９のいずれかに記載の印刷方法に置いて、前記送信中断工程により印刷データの送信が中断された後であって、前記送信再開工程により印刷データの送信が再開される前に、印刷を行わずに前記搬送手段により前記ロール紙を所定距離搬送させるためのデータを前記印刷手段に送信することにより、前記糊代領域に、印刷がされない禁止領域を作成させる禁止領域作成工程を有する。
【００２９】
請求項２１記載の印刷方法は、請求項２０記載の印刷方法において、前記禁止領域作成工程により送信されるデータに基づいて、前記糊代領域において作成される禁止領域の副走査方向の長さは、前記糊代領域に印刷される前記一方の画像と前記他方の画像との重複部分の副走査方向の長さ以上であることを特徴とする。
【００３０】
請求項２２記載の印刷方法は、請求項１６から２１のいずれかに記載の印刷方法において、前記印刷手段により印刷される画像は、前記ロール紙の縁辺の少なくとも一部に設けられる余白領域よりも内側に印刷されるものであって、前記一方の画像と他方の画像とを貼り合わせる際に基準となるマークを前記余白領域に印刷させるためのマーク印刷データを、前記送信中断工程に印刷データの送信が中断される前または前記送信再開工程により印刷データの送信が再開された後、前記印刷手段に送信するマーク印刷制御工程を備える。
【００３１】
請求項２３記載の印刷制御プログラムは、印刷データに基づいて記録紙に画像を印刷する印刷手段に接続され、その印刷手段に印刷データする送信手段を備えたコンピュータで実行されるものであり、画像が印刷された複数枚の記録紙を貼り合わせて全体画像を作成するために、一方の記録紙の端部が重ねられる糊代領域であって、他方の記録紙において作成される糊代領域を取得する糊代領域取得手段と、前記糊代領域取得手段により取得される糊代領域に、前記一方の記録紙の端部に印刷された所定量の画像を重複して印刷させるための印刷データを前記送信手段により前記印刷手段へ送信させる糊代領域印刷制御手段として、前記コンピュータを機能させる。
【００３２】
なお、「記録紙」はカット紙及びロール紙などの各種用紙を含み、「画像が印刷された複数枚の記録紙」とは、画像が印刷された複数枚のカット紙であっても良いし、例えば長尺のロール紙に画像を印刷後、その長尺のロール紙を切断して複数枚の記録紙としたものであっても良い。また、「一方の記録紙の端部」とは、一方の記録紙のうち、他方の記録紙に作成された糊代領域に重ねられる領域をいう。
【００３３】
請求項２４記載の印刷制御プログラムは、請求項２３記載の印刷制御プログラムにおいて、前記糊代領域印刷制御手段は、前記他方の記録紙に作成される糊代領域のうち、記録紙縁辺側の所定の禁止領域を除く領域に、前記一方の記録紙の端部に印刷された所定量の画像を重複して印刷させるための印刷データを前記送信手段により送信させるものであることを特徴とする。
【００３４】
請求項２５記載の印刷制御プログラムは、請求項２４記載の印刷制御プログラムにおいて、前記糊代領域取得手段により取得される糊代領域は、前記記録紙の主走査方向または副走査方向に一定の幅寸法を有して延びるものであって、前記糊代領域印刷制御手段は、前記他方の記録紙に作成される糊代領域のうち、前記糊代領域の幅寸法の１／２以上の領域を前記禁止領域とするものであることを特徴とする。
【００３５】
請求項２６記載の印刷制御プログラムは、請求項２３から２５のいずれかに記載の印刷制御プログラムにおいて、前記糊代領域取得手段により取得される糊代領域は、前記他方の記録紙の縁辺の少なくとも一部に設けられる余白領域よりも内側に作成されるものであって、前記一方の記録紙の端部を重ね合わせる際に基準となるマークを前記余白領域に印刷させるためのマーク印刷データを前記送信手段に送信させるマーク印刷制御手段として、前記コンピュータを機能させる。
【００３６】
請求項２７記載の印刷制御プログラムは、記録ヘッドを搭載して主走査方向に往復移動するキャリッジと、長尺のロール紙を副走査方向に搬送する搬送手段とを有し、印刷データに対し前記キャリッジを複数パス移動させて画像を印刷する印刷手段に接続され、その印刷手段に印刷データを主走査方向の１ライン分毎に送信する送信手段を備えるコンピュータで実行されるものであって、前記送信手段による文字情報や画像情報に基づく全ての印刷データの送信が完了する前に、所定の印刷中断条件が成立したことに基づいて、前記送信手段に印刷データの送信を中断させるとともに印刷データの送信の終了を前記印刷手段に通知する送信中断手段と、その送信中断手段により中断された印刷データの送信を前記送信手段に再開させる送信再開手段と、その送信中断手段により中断されるまでに送信された印刷データに基づいて印刷される一方の画像の搬送方向終端部または前記送信再開手段により再開されてから送信された印刷データに基づいて印刷される他方の画像の搬送方向始端部に作成される糊代領域を取得する糊代領域取得手段と、前記糊代領域取得手段により取得される糊代領域に、前記一方の画像と前記他方の画像との重複部分が印刷されるように、前記送信再開手段により印刷データの送信を再開させる際に、前記送信中断手段により中断されるまでに送信された印刷データに基づく最終のラインよりも所定ライン数前の印刷データから、前記送信手段に印刷データの送信を再開させる糊代領域印刷制御手段として、前記コンピュータを機能させる。
【００３７】
請求項２８記載の印刷制御プログラムは、請求項２７記載の印刷制御プログラムにおいて、前記送信中断手段は、前記送信手段による主走査方向の１ライン分の印刷データの送信後に印刷データの送信を中断するものであることを特徴とする。
【００３８】
請求項２９記載の印刷制御プログラムは、請求項２７または２８に記載の印刷制御プログラムにおいて、前記送信中断手段は、前記ロール紙の搬送方向終端を検出したことに基づいて、前記所定の印刷中断条件が成立したとして前記印刷データの送信を中断させるものであることを特徴とする。
【００３９】
請求項３０記載の印刷制御プログラムは、請求項２７または２８に記載の印刷制御プログラムにおいて、前記送信中断手段は、印刷割り込み処理を検出したことに基づいて、前記所定の印刷中断条件が成立したとして前記印刷データの送信を中断させるものであることを特徴とする。
【００４０】
請求項３１記載の印刷制御プログラムは、請求項２７から３０のいずれかに記載の印刷制御プログラムにおいて、前記送信中断手段により中断される前に送信された印刷データに基づく画像が印刷された後であって、前記送信再開手段により再開された後に送信された印刷データに基づく画像が印刷される前に、印刷を行わずに前記搬送手段により前記ロール紙を所定距離搬送させるためのデータを前記印刷手段に送信することにより、前記糊代領域取得手段により取得される糊代領域に、印刷がされない禁止領域を作成させる禁止領域作成手段として、前記コンピュータを機能させる。
【００４１】
なお、上記「ロール紙を所定距離搬送させるためのデータ」は、前記送信中断手段により中断される前に送信された印刷データに基づく画像が印刷された後であって、前記送信再開手段により再開された後に送信された印刷データに基づく画像が印刷される前に前記搬送手段により前記ロール紙を所定距離搬送させるものであればよく、前記禁止領域作成手段による上記データの送信のタイミングは当業者により適宜定められる。
【００４２】
請求項３２記載の印刷制御プログラムは、請求項３１記載の印刷制御プログラムにおいて、前記禁止領域作成手段により送信されるデータに基づいて、前記糊代領域において作成される禁止領域の副走査方向の長さは、前記糊代領域に印刷される前記一方の画像と前記他方の画像との重複部分の副走査方向の長さ以上であることを特徴とする。
【００４３】
請求項３３記載の印刷制御プログラムは、請求項２７から３２のいずれかに記載の印刷制御プログラムにおいて、前記印刷手段により印刷される画像は、前記ロール紙の縁辺の少なくとも一部に設けられる余白領域よりも内側に印刷されるものであって、前記一方の画像と他方の画像とを貼り合わせる際に基準となるマークを前記余白領域に印刷させるためのマーク印刷データを前記送信手段に送信させるマーク印刷制御手段として、前記コンピュータを機能させる。
【発明の効果】
【００４４】
請求項１記載の印刷制御装置によれば、印刷データに基づいて記録紙に画像を印刷する印刷手段に接続され、その印刷手段に印刷データが送信される。ここで、画像が印刷された複数枚の記録紙を貼り合わせて全体画像を作成するために、一方の記録紙の端部が重ねられる糊代領域であって、他方の記録紙において作成される糊代領域が、糊代領域取得手段により取得され、糊代領域印刷制御手段により、その糊代領域に、前記一方の記録紙の端部に印刷される所定量の画像を重複して印刷させるための印刷データが前記送信手段により前記印刷手段へ送信させられる。
【００４５】
したがって、糊代領域に重ねられるべき一方の記録紙の端部に印刷される所定量の画像が、他方の記録紙において作成される糊代領域に重複して印刷されるので、一方の記録紙と他方の記録紙との間において糊代領域が露出した場合であっても、一方の記録紙に印刷された画像と他方の記録紙に印刷された画像とが一見、連続して見える。よって、貼り合わせられた２つの画像の間に糊代領域の空白部分が露出することによる見映えの低下を抑制することができるという効果がある。
【００４６】
請求項２記載の印刷制御装置によれば、請求項１記載の印刷制御装置の奏する効果に加え、前記糊代領域印刷制御手段は、前記他方の記録紙に作成される糊代領域のうち、記録紙縁辺側の所定の禁止領域を除く領域に、前記一方の記録紙の端部に印刷された所定量の画像を重複して印刷させるための印刷データを前記送信手段により送信させるので、記録紙縁辺側の所定の禁止領域には、画像が印刷されない。したがって、糊代領域に必要以上に画像が印刷されることがなく、糊代領域の印刷のために要する時間及びインクを節約することができるという効果がある。また、糊代領域に画像が記録がされていると、糊付けが上手くいかない場合があるので、画像が記録されない禁止領域を糊代領域に設けることで、良好に糊付けすることができるという効果がある。さらに、糊代領域には画像が記録されない領域が設けられているので、糊代領域が作成されている記録紙を判別しやすいという効果もある。
【００４７】
請求項３記載の印刷制御装置によれば、請求項２記載の印刷制御装置の奏する効果に加え、前記糊代領域取得手段により取得される糊代領域は、前記記録紙の主走査方向または副走査方向に一定の幅寸法を有して延びるものであって、前記糊代領域印刷制御手段は、前記他方の記録紙に作成される糊代領域のうち、前記糊代領域の幅寸法の１／２以上の領域を前記禁止領域とするので、禁止領域を充分に確保し、糊代領域の印刷のために要する時間及びインクを節約し且つ良好に糊付けすることができるという効果がある。
【００４８】
請求項４記載の印刷制御装置によれば、請求項１から３のいずれかに記載の印刷制御装置の奏する効果に加え、前記糊代領域取得手段により取得される糊代領域は、前記他方の記録紙の縁辺の少なくとも一部に設けられる余白領域よりも内側に作成されるものであって、マーク印刷制御手段により、前記一方の記録紙の端部を重ね合わせる際に基準となるマークを前記余白領域に印刷させるためのマーク印刷データが前記送信手段により送信されるので、余白領域にマークが印刷される。印刷後、不要な余白領域は、通常切り離されることが多いので、余白領域とともにマークも切り離すことができ、貼り合わせ後の画像をよりきれいなものとすることができるという効果がある。
【００４９】
請求項５記載の印刷制御装置によれば、記録ヘッドを搭載して主走査方向に往復移動するキャリッジと、長尺のロール紙を副走査方向に搬送する搬送手段とを有し、印刷データに対し前記キャリッジを複数パス移動させて画像を印刷する印刷手段に接続され、その印刷手段に印刷データが主走査方向の１ライン分毎に送信される。ここで、前記送信手段による文字情報や画像情報に基づく全ての印刷データの送信が完了する前に、所定の印刷中断条件が成立したことに基づいて、送信中断手段により、前記送信手段に印刷データの送信を中断させ、印刷データの送信の終了が前記印刷手段に通知される。そして、その送信中断手段により中断された印刷データの送信は、送信再開手段により再開させられる。そして、その送信中断手段により中断されるまでに送信された印刷データに基づいて印刷される一方の画像の搬送方向終端部または前記送信再開手段により再開されてから送信された印刷データに基づいて印刷される他方の画像の搬送方向始端部に作成される糊代領域が、糊代領域取得手段により取得される。その糊代領域取得手段により取得される糊代領域に、前記一方の画像と前記他方の画像との重複部分が印刷されるように、前記送信再開手段により印刷データの送信を再開させる際に、糊代領域印刷制御手段により、前記送信中断手段により中断されるまでに送信された印刷データに基づく最終のラインよりも所定ライン数前の印刷データから、前記送信手段による送信が再開される。
【００５０】
したがって、所定の印刷中断条件が成立したことに基づいて印刷データの送信が中断された場合であっても、印刷データの送信が中断されるまでに送信された印刷データに基づいて印刷される一方の画像の搬送方向終端部または印刷データの送信が再開されてから送信された印刷データに基づいて印刷される他方の画像の搬送方向始端部には、糊代領域が作成され、その糊代領域には、一方の画像と他方の画像との重複部分が印刷されるので、一方の画像と他方の画像とをつなぎ合わせる際に糊代領域が露出した場合であっても、一方の画像と他方の画像とが一見、連続して見える。よって、つなぎ合わされた２つの画像の間に糊代領域の空白部分が露出することによる見映えの低下を防止することができるという効果がある。また、印刷データの送信が中断されると、印刷手段には、印刷データの送信の終了が通知されることにより、印刷手段は印刷データの送信の終了を認識することができるので、印刷データの送信再開時には、データを正常に受信し、異常な印刷が行われるのを抑制することができるという効果がある。例えば、印刷手段が印刷データの終了を認識していない場合には、印刷データの送信再開時に受信するデータが初期化コマンドであるにも拘わらず、印刷データであると誤認し、いわゆる文字化けなどの異常な印刷が行われる場合があるのである。
【００５１】
請求項６記載の印刷制御装置によれば、請求項５記載の印刷制御装置の奏する効果に加え、前記送信中断手段は、前記送信手段による主走査方向の１ライン分の印刷データの送信後に印刷データの送信を中断する。したがって、印刷手段は、送信中断前に送信された印刷データに基づいて前記一方の画像の端部を構成する最終の１ラインまできれいに印刷することができるという効果がある。
【００５２】
請求項７記載の印刷制御装置によれば、請求項５または６に記載の印刷制御装置の奏する効果に加え、前記送信中断手段は、前記ロール紙の搬送方向終端を検出したことに基づいて、前記所定の印刷中断条件が成立したとして前記印刷データの送信を中断させるので、長尺のロール紙を用いて印刷を行う際に、ロール紙の残り長さに応じた印刷データを準備する必要がないという効果がある。また、例えば、残り長さが不明な使いかけのロール紙であっても使用することができるので、ロール紙の節約になるという効果もある。
【００５３】
請求項８記載の印刷制御装置によれば、請求項５または６に記載の印刷制御装置の奏する効果に加え、前記送信中断手段は、印刷割り込み処理を検出したことに基づいて、前記所定の印刷中断条件が成立したとして前記印刷データの送信を中断させるので、長尺のロール紙への印刷中に、他の印刷処理を行うことができ、さらに、その他の印刷処理により分断して印刷された一方の画像と他方の画像との間に、その一方の画像と他方の画像との重複部分が印刷された糊代領域を作成することができるという効果がある。
【００５４】
請求項９記載の印刷制御装置によれば、請求項５から８のいずれかに記載の印刷制御装置の奏する効果に加え、前記送信中断手段により中断される前に送信された印刷データに基づく画像が印刷された後であって、前記送信再開手段により再開された後に送信された印刷データに基づく画像が印刷される前に、禁止領域作成手段により、印刷を行わずに前記搬送手段により前記ロール紙を所定距離搬送させるためのデータを前記印刷手段に送信することにより、前記糊代領域取得手段により取得される糊代領域に、印刷がされない禁止領域を作成させるので、糊代領域に必要以上に画像が印刷されることがなく、糊代領域の印刷のために要する時間及びインクを節約することができるという効果がある。また、糊代領域に画像が記録がされていると、糊付けが上手くいかない場合があるので、画像が記録されない禁止領域を糊代領域に設けることで、良好に糊付けすることができるという効果がある。さらに、糊代領域には画像が記録されない領域が設けられているので、糊代領域が判別しやすいという効果もある。
【００５５】
請求項１０記載の印刷制御装置によれば、請求項９記載の印刷制御装置の奏する効果に加え、前記禁止領域作成手段により送信されるデータに基づいて、前記糊代領域において作成される禁止領域の副走査方向の長さは、前記糊代領域に印刷される前記一方の画像と前記他方の画像との重複部分の副走査方向の長さ以上なので、禁止領域を充分に確保し、糊代領域の印刷のために要する時間及びインクを節約し且つ良好に糊付けすることができるという効果がある。
【００５６】
請求項１１記載の印刷制御装置によれば、請求項５から１０のいずれかに記載の印刷制御装置の奏する効果に加え、前記印刷手段により印刷される画像は、前記ロール紙の縁辺の少なくとも一部に設けられる余白領域よりも内側に印刷されるものであって、マーク印刷制御手段により、一方の画像と他方の画像とを貼り合わせる際に基準となるマークを前記余白領域に印刷させるためのマーク印刷データが前記送信手段により送信される。よって、余白領域にマークが印刷される。印刷後は、不要な余白領域は、通常切り離されることが多いので、余白領域とともにマークも切り離すことができ、貼り合わせ後の画像をよりきれいなものとすることができるという効果がある。
【００５７】
請求項１２記載の印刷方法によれば、一方の記録紙の端部が重ねられる糊代領域であって、他方の記録紙において作成される糊代領域には、その糊代領域に重ねられるべき一方の記録紙の端部に印刷される所定量の画像が重複して印刷されるので、一方の記録紙と他方の記録紙との間において糊代領域が露出した場合であっても、一方の記録紙に印刷された画像と他方の記録紙に印刷された画像とが一見、連続して見える。よって、貼り合わせられた２つの画像の間に糊代領域の空白部分が露出することによる見映えの低下を抑制することができるという効果がある。
【００５８】
請求項１３記載の印刷方法によれば、請求項１２記載の印刷方法の奏する効果に加え、他方の記録紙に作成される糊代領域のうち、記録紙縁辺側の所定の禁止領域を除く領域に、前記一方の記録紙の端部に印刷された所定量の画像が重複して印刷されるので、糊代領域に必要以上に画像が印刷されることがなく、糊代領域の印刷のために要する時間及びインクを節約することができるという効果がある。また、糊代領域に画像が記録がされていると、糊付けが上手くいかない場合があるので、画像が記録されない禁止領域を糊代領域に設けることで、良好に糊付けすることができるという効果がある。さらに、糊代領域には画像が記録されない領域が設けられているので、糊代領域が作成されている記録紙を判別しやすいという効果もある。
【００５９】
請求項１４記載の印刷方法によれば、請求項１３記載の印刷方法の奏する効果に加え、前記糊代領域は、前記記録紙の主走査方向または副走査方向に一定の幅寸法を有して延びるものであって、前記他方の記録紙に作成される糊代領域のうち、前記糊代領域の幅寸法の１／２以上の領域を前記禁止領域とするので、禁止領域を充分に確保し、糊代領域の印刷のために要する時間及びインクを節約し且つ良好に糊付けすることができるという効果がある。
【００６０】
請求項１５記載の印刷方法によれば、請求項１２から１４のいずれかに記載の印刷方法の奏する効果に加え、前記糊代領域は、前記他方の記録紙の縁辺の少なくとも一部に設けられる余白領域よりも内側に作成されるものであって、前記一方の記録紙の端部を重ね合わせる際に基準となるマークが前記余白領域に印刷される。印刷後、不要な余白領域は、通常切り離されることが多いので、余白領域とともにマークも切り離すことができ、貼り合わせ後の画像をよりきれいなものとすることができるという効果がある。
【００６１】
請求項１６記載の印刷方法によれば、記録ヘッドを搭載して主走査方向に往復移動するキャリッジと、長尺のロール紙を副走査方向に搬送する搬送手段とを有し、印刷データに対し前記キャリッジを複数パス移動させて画像を印刷する印刷手段に、印刷データを主走査方向の１ライン分毎に送信する。ここで、文字情報や画像情報に基づく全ての印刷データの送信が完了する前に、所定の印刷中断条件が成立したことに基づいて、送信中断工程において、印刷データの送信が中断され、印刷データの送信の終了が前記印刷手段に通知される。そして、送信再開工程において、中断された印刷データの送信が再開される。そして、中断されるまでに送信された印刷データに基づいて印刷される一方の画像の搬送方向終端部または再開されてから送信された印刷データに基づいて印刷される他方の画像の搬送方向始端部に作成される糊代領域に、前記一方の画像と前記他方の画像との重複部分が印刷されるように、送信再開工程において印刷データの送信を再開させる際に、中断されるまでに送信された印刷データに基づく最終のラインよりも所定ライン数前の印刷データから、印刷データの送信が再開される。
【００６２】
したがって、所定の印刷中断条件が成立したことに基づいて印刷データの送信が中断された場合であっても、印刷データの送信が中断されるまでに送信された印刷データに基づいて印刷される一方の画像の搬送方向終端部または印刷データの送信が再開されてから送信された印刷データに基づいて印刷される他方の画像の搬送方向始端部には、糊代領域が作成され、その糊代領域には、一方の画像と他方の画像との重複部分が印刷されるので、一方の画像と他方の画像とをつなぎ合わせる際に糊代領域が露出した場合であっても、一方の画像と他方の画像とが一見、連続して見える。よって、つなぎ合わせられた２つの画像の間に糊代領域の空白部分が露出することによる見映えの低下を抑制することができるという効果がある。また、印刷データの送信が中断されると、印刷手段には、印刷データの送信の終了が通知されることにより、印刷手段は印刷データの送信の終了を認識することができるので、印刷データの送信再開時にデータを正常に受信し、異常な印刷が行われるのを抑制することができるという効果がある。例えば、印刷手段が印刷データの終了を認識していない場合には、印刷データの送信再開時に受信するデータが初期化コマンドなどであるにも拘わらず、印刷データであると誤認し、いわゆる文字化けなどの異常な印刷が行われる場合があるのである。
【００６３】
請求項１７記載の印刷方法によれば、請求項１６記載の印刷方法の奏する効果に加え、主走査方向の１ライン分の印刷データの送信後に印刷データの送信を中断するので、印刷手段は、送信中断前に送信された印刷データに基づいて、前記一方の画像の端部を構成する最終の１ラインまできれいに印刷することができるという効果がある。
【００６４】
請求項１８記載の印刷方法によれば、請求項１６または１７に記載の印刷方法の奏する効果に加え、前記ロール紙の搬送方向終端を検出したことに基づいて、前記所定の印刷中断条件が成立したとして前記印刷データの送信が中断されるので、長尺のロール紙を用いて印刷を行う際に、ロール紙の残り長さに応じた印刷データを準備する必要がないという効果がある。また、例えば、残り長さが不明な使いかけのロール紙であっても使用することができるので、ロール紙の節約になるという効果もある。
【００６５】
請求項１９記載の印刷方法によれば、請求項１６または１７に記載の印刷方法の奏する効果に加え、印刷割り込み処理を検出したことに基づいて、前記所定の印刷中断条件が成立したとして前記印刷データの送信が中断されるので、長尺のロール紙への印刷中に、他の印刷処理を行うことができ、さらに、その他の印刷処理により分断して印刷された一方の画像と他方の画像との間に、その一方の画像と他方の画像との重複部分が印刷された糊代領域を作成することができるという効果がある。
【００６６】
請求項２０記載の印刷方法によれば、請求項１６から１９のいずれかに記載の印刷方法の奏する効果に加え、中断される前に送信された印刷データに基づく画像が印刷された後であって、再開された後に送信された印刷データに基づく画像が印刷される前に、印刷を行わずに前記搬送手段により前記ロール紙を所定距離搬送させるためのデータを前記印刷手段に送信することにより、糊代領域に、印刷がされない禁止領域を作成させるので、糊代領域に必要以上に画像が印刷されることがなく、糊代領域の印刷のために要する時間及びインクを節約することができるという効果がある。また、糊代領域に画像が記録がされていると、糊付けが上手くいかない場合があるので、画像が記録されない禁止領域を糊代領域に設けることで、良好に糊付けすることができるという効果がある。さらに、糊代領域には画像が記録されない領域が設けられているので、糊代領域が作成されている記録紙を判別しやすいという効果もある。
【００６７】
請求項２１記載の印刷方法によれば、請求項２０記載の印刷方法の奏する効果に加え、前記糊代領域において作成される禁止領域の副走査方向の長さは、前記糊代領域に印刷される前記一方の画像と前記他方の画像との重複部分の副走査方向の長さ以上なので、禁止領域を充分に確保し、糊代領域の印刷のために要する時間及びインクを節約し且つ良好に糊付けすることができるという効果がある。
【００６８】
請求項２２記載の印刷方法によれば、請求項１６から２１のいずれかに記載の印刷方法の奏する効果に加え、前記印刷手段により印刷される画像は、前記ロール紙の縁辺の少なくとも一部に設けられる余白領域よりも内側に印刷されるものであって、一方の画像と他方の画像とを貼り合わせる際に基準となるマークが余白領域に印刷される。印刷後は、不要な余白領域は、通常切り離されることが多いので、余白領域とともにマークも切り離すことができ、貼り合わせ後の画像をよりきれいなものとすることができるという効果がある。
【００６９】
請求項２３記載の印刷制御プログラムによれば、コンピュータによって実行されることにより、印刷データを印刷手段に送信して、印刷データに基づいて記録紙に画像を印刷させる。なお、該印刷手段は、該コンピュータに接続されている。ここで、該コンピュータは、画像が印刷された複数枚の記録紙を貼り合わせて全体画像を作成するために、一方の記録紙の端部が重ねられる糊代領域であって、他方の記録紙において作成される糊代領域を、糊代領域取得手段により取得し、糊代領域印刷制御手段により、その糊代領域に、前記一方の記録紙の端部に印刷される所定量の画像を重複して印刷させるための印刷データを前記送信手段により前記印刷手段へ送信する。
【００７０】
したがって、一方の記録紙の端部に印刷される所定量の画像が他方の記録紙において作成される糊代領域に重複して印刷されるので、一方の記録紙と他方の記録紙との間において糊代領域が露出した場合であっても、一方の記録紙に印刷された画像と他方の記録紙に印刷された画像とが一見、連続して見える。よって、貼り合わせられた２つの画像の間に糊代領域の空白部分が露出することによる見映えの低下を抑制することができるという効果がある。
【００７１】
請求項２４記載の印刷制御プログラムによれば、請求項２３記載の印刷制御プログラムの奏する効果に加え、該コンピュータは、前記糊代領域印刷制御手段により、前記他方の記録紙に作成される糊代領域のうち、記録紙縁辺側の所定の禁止領域を除く領域に、前記一方の記録紙の端部に印刷された所定量の画像を重複して印刷させるための印刷データを前記送信手段により送信させるので、記録紙縁辺側の所定の禁止領域には、画像が印刷されない。したがって、糊代領域に必要以上に画像が印刷されることがなく、糊代領域の印刷のために要する時間及びインクを節約することができるという効果がある。また、糊代領域に画像が記録がされていると、糊付けが上手くいかない場合があるので、画像が記録されない禁止領域を糊代領域に設けることで、良好に糊付けすることができるという効果がある。さらに、糊代領域には画像が記録されない領域が設けられているので、糊代領域を判別しやすいという効果もある。
【００７２】
請求項２５記載の印刷制御プログラムによれば、請求項２４記載の印刷制御プログラムの奏する効果に加え、前記糊代領域取得手段により取得される糊代領域は、前記記録紙の主走査方向または副走査方向に一定の幅寸法を有して延びるものであって、該コンピュータは、前記糊代領域印刷制御手段により、前記他方の記録紙に作成される糊代領域のうち、前記糊代領域の幅寸法の１／２以上の領域を前記禁止領域とするので、禁止領域を充分に確保し、糊代領域の印刷のために要する時間及びインクを節約し且つ良好に糊付けすることができるという効果がある。
【００７３】
請求項２６記載の印刷制御プログラムによれば、請求項２３から２５のいずれかに記載の印刷制御プログラムの奏する効果に加え、前記糊代領域取得手段により取得される糊代領域は、前記他方の記録紙の縁辺の少なくとも一部に設けられる余白領域よりも内側に作成されるものであって、該コンピュータは、マーク印刷制御手段により、前記一方の記録紙の端部を重ね合わせる際に基準となるマークを前記余白領域に印刷させるためのマーク印刷データを前記送信手段により送信するので、余白領域にマークが印刷される。印刷後、不要な余白領域は、通常切り離されることが多いので、余白領域とともにマークも切り離すことができ、貼り合わせ後の画像をよりきれいなものとすることができるという効果がある。
【００７４】
請求項２７記載の印刷制御プログラムによれば、コンピュータによって実行されることにより、印刷データを印刷手段に送信して、印刷データに基づいて長尺のロール紙に画像を印刷させる。なお、該印刷手段は、記録ヘッドを搭載して主走査方向に往復移動するキャリッジと、長尺のロール紙を副走査方向に搬送する搬送手段とを有し、印刷データに対し前記キャリッジを複数パス移動させて画像を印刷するものであり、該コンピュータに接続されている。該コンピュータは、送信手段により、その印刷手段に印刷データを主走査方向の１ライン分毎に送信する。ここで、前記送信手段による文字情報や画像情報に基づく全ての印刷データの送信が完了する前に、所定の印刷中断条件が成立したことに基づいて、送信中断手段により、前記送信手段に印刷データの送信を中断させ、印刷データの送信の終了が前記印刷手段に通知する。そして、その送信中断手段により中断された印刷データの送信を、送信再開手段により再開させる。そして、その送信中断手段により中断されるまでに送信された印刷データに基づいて印刷される一方の画像の搬送方向終端部または前記送信再開手段により再開されてから送信された印刷データに基づいて印刷される他方の画像の搬送方向始端部に作成される糊代領域を、糊代領域取得手段により取得する。その糊代領域取得手段により取得される糊代領域に、前記一方の画像と前記他方の画像との重複部分が印刷されるように、前記送信再開手段により印刷データの送信を再開させる際に、糊代領域印刷制御手段により、前記送信中断手段により中断されるまでに送信された印刷データに基づく最終のラインよりも所定ライン数前の印刷データから、前記送信手段による送信を再開させる。
【００７５】
したがって、所定の印刷中断条件が成立したことに基づいて印刷データの送信が中断された場合であっても、印刷データの送信が中断されるまでに送信された印刷データに基づいて印刷される一方の画像の搬送方向終端部または印刷データの送信が再開されてから送信された印刷データに基づいて印刷される他方の画像の搬送方向始端部には、糊代領域が作成され、その糊代領域には、一方の画像と他方の画像との重複部分が印刷されるので、一方の画像と他方の画像とをつなぎ合わせる際に糊代領域が露出した場合であっても、一方の画像と他方の画像とが一見、連続して見える。よって、つなぎ合わせられた２つの画像の間に糊代領域の空白部分が露出することによる見映えの低下を抑制することができるという効果がある。また、印刷データの送信が中断されると、印刷手段には、印刷データの送信の終了が通知されることにより、印刷手段は印刷データの送信の終了を認識することができるので、印刷データの送信再開時にデータを正常に受信し、異常な印刷が行われるのを抑制することができるという効果がある。例えば、印刷手段が印刷データの終了を認識していない場合には、印刷データの送信再開時に受信するデータが初期化コマンドであるにも拘わらず、印刷データであると誤認し、いわゆる文字化けなどの異常な印刷が行われる場合があるのである。
【００７６】
請求項２８記載の印刷制御プログラムによれば、請求項２７記載の印刷制御プログラムの奏する効果に加え、該コンピュータは、前記送信中断手段により、前記送信手段による主走査方向の１ライン分の印刷データの送信後に印刷データの送信を中断させる。したがって、印刷手段は、送信中断前に送信された印刷データに基づいて前記一方の画像の端部を構成する最終の１ラインまできれいに印刷することができるという効果がある。
【００７７】
請求項２９記載の印刷制御プログラムによれば、請求項２７または２８に記載の印刷制御プログラムの奏する効果に加え、該コンピュータは、前記ロール紙の搬送方向終端を検出したことに基づいて、前記送信中断手段により、前記所定の印刷中断条件が成立したとして前記印刷データの送信を中断させるので、長尺のロール紙を用いて印刷を行う際に、ロール紙の残り長さに応じた印刷データを準備する必要がないという効果がある。また、例えば、残り長さが不明な使いかけのロール紙であっても使用することができるので、ロール紙の節約になるという効果もある。
【００７８】
請求項３０記載の印刷制御プログラムによれば、請求項２７または２８に記載の印刷制御プログラムの奏する効果に加え、該コンピュータは、印刷割り込み処理を検出したことに基づいて、前記送信中断手段により、前記所定の印刷中断条件が成立したとして前記印刷データの送信を中断させるので、長尺のロール紙への印刷中に、他の印刷処理を行うことができ、さらに、その他の印刷処理により分断して印刷された一方の画像と他方の画像との間に、その一方の画像と他方の画像との重複部分が印刷された糊代領域を作成することができるという効果がある。
【００７９】
請求項３１記載の印刷制御プログラムによれば、請求項２７から３０のいずれかに記載の印刷制御プログラムの奏する効果に加え、該コンピュータは、前記送信中断手段により中断される前に送信された印刷データに基づく画像が印刷された後であって、前記送信再開手段により再開された後に送信された印刷データに基づく画像が印刷される前に、禁止領域作成手段により、印刷を行わずに前記搬送手段により前記ロール紙を所定距離搬送させるためのデータを前記印刷手段に送信することにより、前記糊代領域取得手段により取得される糊代領域に、印刷がされない禁止領域を作成させるので、糊代領域に必要以上に画像が印刷されることがなく、糊代領域の印刷のために要する時間及びインクを節約することができるという効果がある。また、糊代領域に画像が記録がされていると、糊付けが上手くいかない場合があるので、画像が記録されない禁止領域を糊代領域に設けることで、良好に糊付けすることができるという効果がある。さらに、糊代領域には画像が記録されない領域が設けられているので、糊代領域を判別しやすいという効果もある。
【００８０】
請求項３２記載の印刷制御プログラムによれば、請求項３１記載の印刷制御プログラムの奏する効果に加え、前記禁止領域作成手段により送信されるデータに基づいて、前記糊代領域において作成される禁止領域の副走査方向の長さは、前記糊代領域に印刷される前記一方の画像と前記他方の画像との重複部分の副走査方向の長さ以上となるように、該コンピュータが機能するので、、禁止領域を充分に確保し、糊代領域の印刷のために要する時間及びインクを節約し且つ良好に糊付けすることができるという効果がある。
【００８１】
請求項３３記載の印刷制御プログラムによれば、請求項２７から３２のいずれかに記載の印刷制御プログラムの奏する効果に加え、前記印刷手段により印刷される画像は、前記ロール紙の縁辺の少なくとも一部に設けられる余白領域よりも内側に印刷されるものであって、該コンピュータは、マーク印刷制御手段により、一方の画像と他方の画像とを貼り合わせる際に基準となるマークを前記余白領域に印刷させるためのマーク印刷データを前記送信手段により送信させる。よって、余白領域にマークが印刷される。印刷後は、不要な余白領域は、通常切り離されることが多いので、余白領域とともにマークも切り離すことができ、貼り合わせ後の画像をよりきれいなものとすることができるという効果がある。
【発明を実施するための最良の形態】
【００８２】
以下、本発明の好ましい実施例について、添付図面を参照して説明する。まず、図１０及び図１１を参照して、本発明の印刷制御装置に接続された印刷装置にて、記録紙に作成される糊代領域について簡単に説明する。
【００８３】
図１０は、長尺のロール紙Ｒ１とロール紙Ｒ２とに分割して印刷された文字「太」を示す図である。図１０に示すように、文字「太」は、画像Ｇ１と画像Ｇ２とに分割されて印刷されており、画像Ｇ２が印刷されたロール紙Ｒ２には、画像Ｇ１が印刷されたロール紙Ｒ１の端部が重ね合わせて貼り合わせられる上側糊代領域ＵＴが作成されている。さらに、上側糊代領域ＵＴには、ロール紙Ｒ１のうち上側糊代領域ＵＴに重ね合わせられる端部に印刷された画像Ｇ１が所定量重複させられ、画像Ｇ１２として印刷されている。
【００８４】
図１１は、図１０に示すロール紙Ｒ１をロール紙Ｒ２の上側糊代領域ＵＴに重ね合わせた後の状態を示す図である。上側糊代領域ＵＴには、上述のように画像Ｇ１２が印刷されているため、貼り合わせ位置がずれて上側糊代領域Ｔが露出したとしても、画像Ｇ１と画像Ｇ２が連続して見え、貼り合わせ位置のずれが目立たず、見映えが良い。
【００８５】
図１は本発明の印刷制御装置であるパーソナルコンピュータ５０（ＰＣ５０）の構成を示すブロック図である。図１に示すように、ＰＣ５０は、ＣＰＵ５１と、ＲＯＭ５２と、ＲＡＭ５３と、記憶部５４と、入力部５５と、インターフェイス（Ｉ／Ｆ）５６とを備えている。
【００８６】
図１に示すように、ＣＰＵ５１、ＲＯＭ５２、ＲＡＭ５３、記憶部５４、入力部５５、Ｉ／Ｆ５６は、バスライン６０を介して接続されている。また、Ｉ／Ｆ５６は、ＵＳＢやＥｔｈｅｒｎｅｔ（登録商標）などの有線又はブルートゥース（Bluetooth（登録商標））や赤外線などの無線によって、印刷装置１０のＩ／Ｆ１８に接続され、ＰＣ５０は、このＩ／Ｆ５６及びＩ／Ｆ１８を介して印刷装置１０に印刷データを送信することにより、印刷装置１０に画像を印刷させる。
【００８７】
ＣＰＵ５１は、このＰＣ５０を総括的に制御する中央演算処理であり、図４、図５、図７から図９のフローチャートで示す処理を実行するプログラムなどの各種プログラムを実行する。
【００８８】
ＲＯＭ５２は、ＣＰＵ５１により実行される各種制御プログラムや固定値データを記憶する不揮発性のメモリである。なお、後述する図４、図５、図７から図９のフローチャートに示す処理を実行するプログラムは、制御プログラムの一部としてこのＲＯＭ５２に記憶されている。
【００８９】
ＲＡＭ５３は、ＣＰＵ５１により実行される各種処理に必要なデータやプログラムを一時的に記憶するためのメモリであり、入力画像データメモリ５３ａと、左印刷開始位置メモリ５３ｂと、右印刷終了位置メモリ５３ｃと、糊代幅寸法メモリ５３ｄと、中断フラグ５３ｅと、キャッシュメモリ５３ｆと、書込先アドレス（ＡＤｎｅｘｔ）メモリ５３ｇと、読出し開始アドレス（ＡＤｓｔａｒｔ）メモリ５３ｈと、末尾アドレス（ＡＤｅｎｄ）メモリ５３ｉと、アドレスループフラグ５３ｊとを備えている。
【００９０】
入力画像データメモリ５３ａは、記憶部５４から導入された入力画像データを記憶するためのメモリである。入力画像データは行列に配置された画素の画素値からなる。左印刷開始位置メモリ５３ｂは、入力画像データの各行における左印刷開始位置ＸＬを記憶するためのメモリであり、右印刷終了位置メモリ５３ｃは、入力画像データの各行における右印刷終了位置ＸＲを記憶するためのメモリである。各行の入力画像データは、左印刷開始位置ＸＬから右印刷終了位置ＸＲまで印刷データに変換されて、各行毎に「１ライン分の印刷データ」として、印刷装置１０へ送信される。
【００９１】
糊代幅寸法メモリ５３ｄは、後に詳細に説明する上側糊代領域ＵＴの幅寸法である糊代高さＹＴと左側糊代領域ＬＴの幅寸法である糊代幅ＸＴとを記憶するためのメモリである。なお、「糊代高さＹＴ」と「糊代幅ＸＴ」は共に請求項の「糊代幅」に相当する。
【００９２】
中断フラグ５３ｅは、印刷中断処理を指示するためのフラグである。印刷装置１０において記録紙の搬送方向終端が検出される、または、使用者により印刷中断の指示がされる、または、印刷割り込み処理が検出されることを印刷中断条件とし、いずれか一の印刷中断条件が成立したことに基づいて、「ＴＲＵＥ」が設定される。なお、印刷の再開を含む印刷開始時に、「ＦＡＬＳＥ」が設定される。
【００９３】
キャッシュメモリ５３ｆは、上側糊代領域ＵＴに印刷すべき画像の印刷データを記憶するためのメモリであり、書込先アドレス（ＡＤｎｅｘｔ）メモリ５３ｇは、キャッシュメモリ５３ｆの書込先アドレス（ＡＤｎｅｘｔ）を記憶するためのメモリであり、読出し開始アドレス（ＡＤｓｔａｒｔ）メモリ５３ｈは、キャッシュメモリ５３ｆの読出し開始アドレス（ＡＤｓｔａｒｔ）を記憶するためのメモリであり、末尾アドレス（ＡＤｅｎｄ）メモリ５３ｉは、キャッシュメモリ５３ｆの末尾アドレス（ＡＤｅｎｄ）を記憶するためのメモリである。なお、末尾アドレス（ＡＤｅｎｄ）とは、上側糊代領域ＵＴに印刷すべき印刷データのライン数に相当する値である。アドレスループフラグ５３ｊは、キャッシュメモリ５３ｆの末尾アドレス（ＡＤｅｎｄ）まで印刷データが書き込まれたことに基づいて、「ＴＲＵＥ」に設定されるフラグである。
【００９４】
図２は、キャッシュメモリ５３ｆの構成図である。図２に示すように、キャッシュメモリ５３ｆにはアドレスが割り当てられており、入力画像データから変換された印刷データは、１ライン分ずつ各アドレスに示される位置に順次書き込まれる。そして、キャッシュメモリ５３ｆのＡＤｅｎｄまで印刷データが書き込まれると、アドレス「１」に戻って最新の１ラインの印刷データを書き込む。よって、キャッシュメモリ５３ｆは、古い印刷データを順次捨てながら、常に最新の所定ライン数の印刷データを記憶することとなる。
【００９５】
再び、図１を参照して説明する。記憶部５４は、例えば、ハードディスクやＦｅＲＡＭ（Ferroelectric Random Access Memory）などの書き換え可能な不揮発性メモリである。
【００９６】
印刷装置１０は、ＣＰＵ１１と、ＲＯＭ１２と、ＲＡＭ１３と、キャリッジ１５と、シート搬送モータ１６と、用紙切れセンサ１７と、インターフェース１８（Ｉ／Ｆ１８）とを備えている。図１に示すように、ＣＰＵ１１、ＲＯＭ１２、ＲＡＭ１３、キャリッジ１５、シート搬送モータ１６、用紙切れセンサ１７、Ｉ／Ｆ１８は、バス２０を介して接続されている。印刷装置１０は、記録紙として長尺のロール紙がセットされるものであって、Ｉ／Ｆ１８を介して外部から送信される印刷データに基づいて、そのロール紙に印刷を行う。
【００９７】
キャリッジ１５は、記録ヘッドを搭載し、ＣＰＵ１１の制御により、主走査方向に往復移動可能に構成されている。Ｉ／Ｆ１８を介して送信された１ライン分の印刷データに対し、キャリッジ１５の主走査方向の移動と、用紙の副走査方向の移動によりその印刷データに基づく画像が印刷される。
【００９８】
シート搬送モータ１６は、印刷装置１０の所定の位置に配置された長尺のロール紙を、副走査方向の上流から下流へ搬送するためのステッピングモータであり、その駆動はＣＰＵ１１により制御される。用紙切れセンサ１７は、ロール紙の搬送方向における終端を検出するためのセンサである。
【００９９】
Ｉ／Ｆ１８は、ＰＣ５０などの外部装置を有線接続又は無線接続するためのインターフェイスであり、印刷装置１０をネットワークに接続し、このＩ／Ｆ１８を介して接続されたＰＣ５０などの外部装置とのデータの入出力を制御するものである。
【０１００】
次に、図３から図６を参照して、ＰＣ５０による、印刷装置１０での印刷を制御する長尺印刷処理について説明する。まず始めに、図３を参照して、本処理に先だって予め設定される印刷範囲について説明する。図３は、入力画像データの印刷範囲を示す図である。
【０１０１】
図３に示すように、入力画像データに基づいて印刷しようとする画像の主走査方向の長さがロール紙Ｒの主走査方向の長さＲＷよりも大きいときは、ＰＣ５０は入力画像データの列方向に延びる分割境界Ｂを設定し、その分割境界Ｂにて分割される領域の１つを印刷範囲として決定する。そして、その印刷範囲の画像を印刷する際に、ロール紙Ｒに向かって画像の左端に印刷される入力画像データの画素の位置を左印刷開始位置ＸＬとして設定し、ロール紙Ｒに向かって画像の右端に印刷される入力画像データの画素の位置を右印刷終了位置ＸＲとして設定する。
【０１０２】
図４及び図５は、ＰＣ５０で実行される長尺印刷処理のフローチャートである。この長尺印刷処理は、印刷装置１０に印刷データを１ライン分毎に順次送信し、また、所定の印刷中断条件が成立したときには、印刷データの送信を中断し、印刷装置１０において上側糊代領域ＵＴを作成させた後に、印刷データの送信を再開させるよう制御するものであり、ＰＣ５０において所定のアプリケーションを起動させることによって起動する処理である。なお、ＰＣ５０により、入力画像データに対し予め上述の分割境界Ｂ（図３参照）が設定されると、分割境界Ｂによって分割された全ての領域の入力画像データについてこの長尺印刷処理が行われるが、同様の処理の繰り返しであるため説明は省略する。また、図６は、図４及び図５に示す長尺印刷処理の結果ＰＣ５０から送信されるデータに従って印刷装置１０で印刷される印刷物を示す図である。図６に示すように、画像が上下方向及び左右方向に分割された場合には、ロール紙Ｒの主走査方向に延びる上側糊代領域ＵＴとロール紙Ｒの副走査方向に延びる左側糊代領域ＬＴが作成される。以下、適宜図６を参照しながら、図４，図５に示す長尺印刷処理について説明する。
【０１０３】
この長尺印刷処理では、まず、上述のように印刷範囲（図３参照）に従って、設定される左印刷開始位置ＸＬ及び右印刷終了位置ＸＲを読み込んで、左印刷開始位置メモリ５３ｂ及び右印刷終了位置メモリ５３ｃに書き込む（Ｓ１）。次に、使用者により予め設定された糊代幅ＸＴ、糊代高さＹＴ、及び印刷範囲と全体画像との関係に基づいて、糊代幅ＸＴ及び糊代高さＹＴ（図６参照）を糊代幅寸法メモリ５３ｄに書き込む（Ｓ２）。例えば、処理の対象である印刷範囲が画像の左端である場合や分割境界Ｂが設定されていない場合は、左側糊代領域ＬＴは不要であるため、糊代幅ＸＴが「０」に設定される。
【０１０４】
次に、左印刷開始位置ＸＬから左側糊代領域ＬＴの糊代幅ＸＴの１／２を減算し、その値を左印刷開始位置メモリ５３ｂに書き込む（Ｓ３）。
【０１０５】
次に、中断フラグ５３ｅを「ＦＡＬＳＥ」に設定し（Ｓ４）、初期化コマンドを送信し、印刷装置１０の設定値を初期値にするなどの初期化を行わせる（Ｓ５）。
【０１０６】
次に、「糊代幅ＸＴ≠０」であるか否かを判断する（Ｓ７）。糊代幅ＸＴが「０」でない場合（Ｓ７：Ｙｅｓ）、左側糊代領域ＬＴが作成されるので、トンボマーク６０と上部マーカー６２ａを印刷させるための印刷データを送信する（Ｓ８）。一方、糊代幅ＸＴが「０」である場合（Ｓ７：Ｎｏ）、左側糊代領域ＬＴは作成しないので、トンボマーク６０を印刷させるための印刷データを送信する（Ｓ７ａ）。ここで、図６に示すように、上部マーカー６２ａは、左側糊代領域ＬＴに重ねられる他の記録紙の端部を重ね合わせる際に基準となるマーカーであって、上部マーカー６２ａを印刷させるための印刷データは、上部マーカー６２ａが、余白領域Ｗに印刷されるように設定されている。また、図６に示すように、印刷装置１０は、Ｓ８またはＳ７ａの処理により送信された印刷データに基づいて、余白領域Ｗの境界を示す上側トンボマーク６０を印刷する。
【０１０７】
続いて、「糊代高さＹＴ≠０」であり、且つ、中断フラグ５３ｅに「ＴＲＵＥ」が設定されているか否かを判断する（Ｓ９）。最初は、Ｓ４の処理において中断フラグ５３ｅが「ＦＡＬＳＥ」に設定されているから、Ｓ１０の処理を行わず、Ｓ１１に進み、キャッシュメモリ５３ｆを初期化し（Ｓ１１）、中断フラグ５３ｅを「ＦＡＬＳＥ」に設定し（Ｓ１２）、Ｓ１３の処理に進む。なお、Ｓ１１のキャッシュ初期化処理については、後に詳細に説明する。
【０１０８】
図５を参照して、長尺印刷処理におけるＳ１３からの処理を説明する。入力画像データメモリ５３ａに記憶された入力画像データのうち、図示しないポインタにて示される行の入力画像データを、左印刷開始位置ＸＬから各画素毎に読み込む（Ｓ１３）。
【０１０９】
続いて入力画像データの終了位置まで読み込んだか否かを判断し（Ｓ１４）、未だ入力画像データの終了位置まで読み込んでいない場合（Ｓ１４：Ｎｏ）、読み込んだ画素の画素値に色調整や２値化などの所定の処理を行って印刷装置１０が認識可能な印刷データを作成する（Ｓ１５）。左印刷開始位置ＸＬから右印刷終了位置ＸＲまでの印刷データ、すなわち１ライン分の印刷データが作成されると（Ｓ１６：Ｙｅｓ）、その１ライン分の印刷データを印刷装置１０へ送信する（Ｓ１７）。
【０１１０】
なお、図６に示すように、左側糊代領域ＬＴのうち、ロール紙の縁辺側であって、糊代幅ＸＴの１／２量の領域を禁止領域Ｈとするために、印刷装置１０は、禁止領域Ｈを除く左側糊代領域ＬＴの左端位置を印刷開始位置とする。すなわち、１ライン分の印刷データの読み込み開始位置である左印刷開始位置ＸＬは、Ｓ３の処理において、印刷範囲に基づいて予め設定された位置よりも糊代幅ＸＴの１／２量が減算されている。したがって、図６に示すように、左側糊代領域ＬＴには、分割境界Ｂを挟んで隣接する画像（文字「太」の左半分）の右端部のうち、糊代幅ＸＬの１／２量が重複して印刷されることとなる。
【０１１１】
次に、その送信した１ライン分の印刷データをキャッシュメモリ５３ｆに書き込むキャッシュ書込処理を行う（Ｓ１８）。なお、このキャッシュ書込処理については、後に詳細を説明する。
【０１１２】
続いて、中断フラグ５３ｅが「ＴＲＵＥ」に設定されているか否かを判断する（Ｓ１９）。中断フラグ５３ｅが「ＦＡＬＳＥ」に設定されている場合（Ｓ１９：Ｎｏ）、Ｓ１３の処理に戻り、次の１ライン分の印刷データを作成する。
【０１１３】
一方、中断フラグ５３ｅが「ＴＲＵＥ」に設定された場合（Ｓ１９：Ｙｅｓ）、印刷装置１０においてロール紙Ｒの搬送方向終端が検出される、または、使用者により印刷中断の指示がされる、または、印刷割り込み処理が検出されるのいずれか印刷中断条件が成立したと判断できる。そこで、印刷データの送信を中断する。印刷終了コマンドを受信した印刷装置１０は、それまでに受信した印刷データに基づく印刷を終了すると、印刷を中断する。
【０１１４】
次に、「糊代幅ＸＴ≠０」であるか否かを判断する（Ｓ２０）。糊代幅ＸＴが「０」でない場合（Ｓ２０：Ｙｅｓ）、左側糊代領域ＬＴが作成されるので、トンボマーク６１と下部マーカー６２ｂを印刷するためのデータを送信する（Ｓ２１）。一方、糊代幅ＸＴが「０」である場合（Ｓ２０：Ｎｏ）、左側糊代領域ＬＴが作成されないので、トンボマーク６１を印刷するための印刷データを送信する（Ｓ２２）。なお、図６に示すように、下部マーカー６２ｂは、左側糊代領域ＬＴに重ねられる他の記録紙の端部を重ね合わせる際に基準となるマーカーであって、下部マーカー６２ｂを印刷させるための印刷データは、下部マーカー６２ｂが、余白領域Ｗに印刷されるように設定されている。また図６に示すように、印刷装置１０は、Ｓ２１またはＳ２２の処理により送信された印刷データに基づいて、余白領域Ｗの境界を示す下側トンボマーク６１を印刷する。
【０１１５】
続いて、印刷装置１０に所定の印刷データの送信の終了を通知する所定の印刷終了コマンドを送信する印刷終了処理を実行する（Ｓ２３）。
【０１１６】
続いて、所定の印刷再開条件が成立したことに基づいて印刷データの送信を再開させる送信再開処理において、印刷データの送信の再開が判断されると（Ｓ２４）、Ｓ５（図４）の処理に戻り、印刷装置１０を初期化する処理を行う（Ｓ５）。
【０１１７】
図７はＳ２４の送信再開処理を示すフローチャートである。この送信再開処理では、まず、用紙切れセンサ１７によりロール紙の搬送方向終端が検出されたことに基づいて中断フラグ５３ｅが「ＴＲＵＥ」になったか否かを判断し（Ｓ２４０１）、肯定されれば（Ｓ２４０１：Ｙｅｓ）、使用者がロール紙を交換すること（Ｓ２４０２）に基づいて印刷再開条件が成立したと判断して、Ｓ５の処理に戻る。
【０１１８】
一方、Ｓ２４０１の判断が否定されれば（Ｓ２４０１：Ｎｏ）、印刷割り込み処理を検出したことにより中断フラグ５３ｅが「ＴＲＵＥ」になったか否かを判断し（Ｓ２４０３）、肯定されれば（Ｓ２４０３：Ｙｅｓ）、その割り込み印刷が終了したこと（Ｓ２４０４：Ｙｅｓ）に基づいて印刷再開条件が成立したと判断して、Ｓ５の処理に戻る。
【０１１９】
一方、Ｓ２４０３の判断が否定されれば（Ｓ２４０３：Ｎｏ）、使用者により印刷再開の指示がされたこと（Ｓ２４０５：Ｙｅｓ）に基づいて印刷再開条件が成立したと判断して、Ｓ５の処理に戻る。
【０１２０】
再び図４を参照して、送信再開処理（Ｓ２４）により印刷データの送信の再開が判断された後の処理を説明する。送信再開処理（Ｓ２４）により、印刷データの送信の再開が判断されると、Ｓ５以降の処理が上述したのと同様に行われる。このときは、中断フラグ５３ｅが「ＴＲＵＥ」に設定されているので（Ｓ９：Ｙｅｓ）、上側糊代領域ＵＴに印刷を行う上側糊代領域印刷処理を行い、上側糊代領域ＵＴに印刷するための印刷データを、印刷装置１０に送信する（Ｓ１０）。なお、この上側糊代領域印刷処理（Ｓ１０）については、後に詳細に説明する。続いて、Ｓ１１以降の処理が行われ、入力画像データの全ての画素について処理を終了するまで上述の処理が繰り返される。
【０１２１】
入力画像データの全ての画素について処理が終了すると（Ｓ１４：Ｙｅｓ）、必要に応じて下部マーカ６２ｂや下部トンボマーク６１を印刷するための印刷データを送信する処理を行ない（Ｓ２５〜Ｓ２７）、印刷終了処理を実行する。なお、このＳ２５〜Ｓ２７の処理は、Ｓ２０〜Ｓ２２の処理と同じであるため、説明を省略する。
【０１２２】
次に、図８を参照して、キャッシュ初期化処理（Ｓ１１）及びキャッシュ書込処理（Ｓ１８）について説明する。図８（ａ）はキャッシュ初期化処理のフローチャートである。このキャッシュ初期化処理は、キャッシュメモリ５３ｆを初期化するための処理である。
【０１２３】
図８（ａ）に示すように、キャッシュ初期化処理では、まず、書込み先アドレス（ＡＤｎｅｘｔ）メモリ５３ｇに「１」を書き込み（Ｓ１１０１）、読出し開始アドレス（ＡＤｓｔａｒｔ）メモリ５３ｈに「１」を書き込む（Ｓ１１０２）。
【０１２４】
続いて、末尾アドレス（ＡＤｅｎｄ）メモリ５３ｉに、上側糊代領域ＵＴに印刷されるべき画像のライン数を書き込む（Ｓ１１０３）。このライン数は、下記の（１）式に基づいて設定される。
ＡＤｅｎｄ＝（糊代高さＹＴ＊１インチ当たりのライン数／２５．４）／２・・・（１）
ただし、糊代高さＹＴの単位はｍｍ。
【０１２５】
次にアドレスループ（ＡＤｌｏｏｐ）フラグ５３ｊに「ＦＡＬＳＥ」を設定し、キャッシュ初期化処理を終了する。
【０１２６】
図８（ｂ）はキャッシュ書込処理のフローチャートである。このキャッシュ書込処理は、Ｓ１７の処理において印刷装置１０へ送信された印刷データのうち、最新の印刷データであって、上側糊代領域ＵＴに書き込まれるべきライン数の印刷データをキャッシュメモリ５３ｆに書き込むための処理である。
【０１２７】
図８（ｂ）に示すように、キャッシュ書込処理では、まず、書込み先アドレスメモリ５３ｇが示すアドレスに１ライン分の印刷データを保存する。キャッシュ初期化処理（Ｓ１１）においてキャッシュメモリ５３ｆが初期化された直後は、ＡＤｎｅｘｔは「１」に初期化されているので、キャッシュメモリ５３ｇのアドレス「１」に、１ライン分の印刷データが保存される（Ｓ１８０１）。続いて、書込み先アドレスメモリ５３ｇの値に「１」を加算し、次のアドレスを書込み先アドレスとする（Ｓ１８０２）。
【０１２８】
次に、アドレスループフラグ５３ｊに「ＴＲＵＥ」が設定されているか否かを判断する（Ｓ１８０３）。キャッシュ初期化処理（Ｓ１１）においてキャッシュメモリ５３ｆが初期化された直後は、アドレスループフラグ５３ｊには「ＦＡＬＳＥ」が設定されているので（Ｓ１８０３：Ｎｏ）、続いて、書込み先アドレスメモリ５３ｇの値が、末尾アドレスメモリ５３ｊの値よりも大きいか否かを判断し（Ｓ１８０５）、書込み先アドレスメモリ５３ｇの値が末尾アドレスメモリ５３ｊの値以下であれば（Ｓ１８０５：Ｎｏ）、キャッシュ書込処理を終了する。
【０１２９】
一方、キャッシュメモリ５３ｆに、印刷データが１ライン毎順次保存されて、書込み先アドレス（ＡＤｎｅｘｔ）が末尾アドレス（ＡＤｅｎｄ）よりも大きくなった場合（Ｓ１８０５）、キャッシュメモリ５３ｆに１ラインずつ保存される印刷データが末尾アドレス（ＡＤｅｎｄ）まで保存されたと判断できるから、書込先アドレスメモリ５３ｇに「１」を書き込み（Ｓ１８０６）、読出し開始アドレスメモリ５３ｈに「１」を書き込む（Ｓ１８０７）。すなわち、キャッシュメモリ５３ｆに保存された印刷データのうち、最も古いデータが保存されているアドレス「１」を次の書き込み先アドレスとすることにより、順次古い印刷データを最新の印刷データで上書きする。よって、キャッシュメモリ５３ｆには、末尾アドレスメモリ５３ｉの値のライン数の最新の印刷データが保存されることとなる。
【０１３０】
続いて、キャッシュメモリ５３ｆの末尾アドレスまで印刷データが保存されたことに基づいてアドレスループフラグ５３ｊに「ＴＲＵＥ」を設定し（Ｓ１８０８）、キャッシュ書込処理を終了する。
【０１３１】
したがって、キャッシュメモリ５３ｆに印刷データが１ライン毎に順次保存されて末尾アドレス（ＡＤｅｎｄ）まで印刷データが保存されると、アドレスループフラグ５３ｊに「ＴＲＵＥ」が設定されるので、Ｓ１８０３の判断が常に肯定され（Ｓ１８０３：Ｙｅｓ）、読出し開始アドレスメモリ５３ｈに、書込先アドレスメモリ５３ｇの値を書き込む。換言すれば、最も古い印刷データが保存されているアドレスから印刷データが読み出されるように、読出し開始アドレスメモリ５３ｈには、最も古い印刷データが保存されているアドレスを示す値が書き込まれる。
【０１３２】
次に、図９を参照して、上側糊代領域印刷処理（Ｓ１０）について説明する。図９は上側糊代領域印刷処理のフローチャートである。この上側糊代領域印刷処理は、上側糊代領域ＵＴに印刷されるべき印刷データから印刷データの送信を再開する処理である。
【０１３３】
この上側糊代領域印刷処理では、まず、シート搬送モータ１６によりロール紙Ｒを糊代高さＹＴの１／２量、搬送方向に送らせる（Ｓ１００１）。これにより、上側糊代領域ＵＴのうち、ロール紙送り方向上流側の所定の禁止領域Ｈには、画像が印刷されない（図６参照）。
【０１３４】
次に、キャッシュメモリ５３ｆのうち、読出し開始アドレスメモリ５３ｈの値が示すアドレスから１ライン分の印刷データを読み出して、印刷装置１０に送信する（Ｓ１００２）。すなわち、キャッシュメモリ５３ｆに記憶されている印刷データのうち、最も古い印刷データから印刷装置１０へ送信する。
【０１３５】
次に、読出し開始アドレスメモリ５３ｈの値に「１」加算し（Ｓ１００３）、次のアドレスを読出し開始アドレスとして設定する。続いて、読出し開始アドレスメモリ５３ｈの値が書込先アドレスメモリ５３ｇと等しいか否かを判断する（Ｓ１００４）。読出し開始アドレスメモリ５３ｈの値と書込先アドレスメモリ５３ｇの値とが等しくなければ（Ｓ１００４：Ｙｅｓ）、読出し開始アドレスメモリ５３ｈの値が末尾アドレスメモリ５３ｉの値よりも大きいか否かを判断する（Ｓ１００５）。
【０１３６】
読出し開始アドレスメモリ５３ｈの値が末尾アドレスメモリ５３ｉの値以下であれば（Ｓ１００５：Ｎｏ）、Ｓ１００２の処理に戻り、キャッシュメモリ５３ｆに記憶された印刷データを１ラインずつ順次送信する。そして、末尾アドレス（ＡＤｅｎｄ）に記憶された印刷データまで送信すると（Ｓ１００５：Ｙｅｓ）、読出し開始アドレスメモリ５３ｇに「１」を書き込み（Ｓ１００６）、Ｓ１００２の処理に戻り、アドレス「１」から印刷データを１ラインずつ順次送信する。そして、キャッシュメモリ５３ｆに記憶された最新の１ラインの印刷データまで送信し、読出し開始アドレスメモリ５３ｈの値と書込先アドレスメモリ５３ｇとの値とが等しくなると（Ｓ１００４：Ｙｅｓ）、キャッシュメモリ５３ｆに保存された印刷データは全て送信したと判断できるので、左右マーカ６３Ｌ，６３Ｒ（図６参照）を印刷するための印刷データを送信し（Ｓ１００７）、上側糊代領域印刷処理を終了する。
【０１３７】
なお、図６に示すように、左右マーカー６３Ｌ，６３Ｒは、印刷データの送信が中断されるまでに送信された印刷データに基づき印刷される画像と、印刷データの送信が再開されてから送信された印刷データに基づき印刷される画像とを貼り合わせる際に基準となるマーカーであって、左右マーカー６３Ｌ，６３Ｒを印刷させるための印刷データは、左右マーカー６３Ｌ，６３Ｒが、余白領域Ｗに印刷されるように設定されている。
【０１３８】
以上説明したように、ＰＣ５０によれば、ロール紙の搬送方向終端を検出したことに基づいて、一旦印刷データの送信が中断される場合、中断されるまでに送信された印刷データに基づいて印刷される画像（文字「太」の上側）と、再開されてから送信された印刷データに基づいて印刷される画像（文字「太」の下側）とを繋ぎ合わせるための糊代領域であって、画像の印刷がされない禁止領域Ｈと、キャッシュメモリ５３ｆに保存された印刷データに基づく画像が印刷された領域とからなる上側糊代領域ＵＴが作成される。
【０１３９】
図１０は、２枚のロール紙Ｒ１とロール紙Ｒ２とに分割して印刷された文字「太」を示す図である。なお、ロール紙は搬送方向Ｓに搬送される。文字「太」を印刷中にロール紙Ｒ１の終端を検出して印刷データの送信が中断され、中断されるまでに送信された印刷データに基づいてロール紙Ｒ１（一方の記録紙に相当）に上側の画像Ｇ１（一方の画像に相当）が印刷され、印刷データの送信が再開されてから送信された印刷データに基づいてロール紙Ｒ２（他方の記録紙に相当）に下側の画像Ｇ２（他方の画像に相当）が印刷されている。この場合、左側糊代領域ＬＴは作成されていないので、糊代幅ＸＴは「０」に設定されている。図１０に示すように、画像Ｇ２には、画像Ｇ２の搬送方向始端部に上側糊代領域ＵＴが作成されており、その上側糊代領域ＵＴの禁止領域Ｈを除く領域には、画像Ｇ１の下側端部が重複して、画像Ｇ１２（所定量の画像に相当）として印刷されている。
【０１４０】
図１１は、図１０に示すロール紙Ｒ１をロール紙Ｒ２に作成された上側糊代領域ＵＴに重ね合わせて貼り合わせた後の状態を示す図である。上側糊代領域ＵＴには、上述のように画像Ｇ１２が印刷されているため、貼り合わせ位置がずれて上側糊代領域ＵＴが露出したとしても、画像Ｇ１２が印刷されているため画像Ｇ１と画像Ｇ２が連続して見えるので、貼り合わせ位置のずれが目立たず、見映えが良い。また、余白領域Ｗに印刷されたトンボマーク６０，６１を目印にして余白領域Ｗ（図９参照）を切り落とせば、その余白領域Ｗに印刷された左右マーカー６３Ｌ，６３Ｒも共に切り離すことができ、きれいな見映えに仕上がる。また、この上側糊代領域ＵＴには、画像が印刷されない禁止領域Ｈが設けられているため、糊付けがし易い。通常、画像が印刷されている領域は、糊付けをしてもはがれやすくなってしまうのである。
【０１４１】
また、ＰＣ５０によれば、キャッシュ書込処理（図８（ｂ）参照）により、印刷装置１０へ送信された最新の印刷データをキャッシュメモリ５３ｆに保存し、そのキャッシュメモリ５３ｆに保存された印刷データに基づいて上側糊代領域ＵＴに画像が印刷されるので、上側糊代領域ＵＴに、画像を重複して印刷させるために、入力画像データを再度印刷データに変換する必要がない。
【０１４２】
図１２は、ロール紙Ｒに代えて、カット紙Ｃを用いた場合に、４枚のカット紙に分割して印刷された文字「太」を示す図である。カット紙Ｃ２，Ｃ４に作成された左側糊代領域ＬＴ（他方の記録紙に作成される糊代領域に相当）が作成されている。カット紙Ｃ１，Ｃ３の縁辺に作成されている余白領域Ｗは、貼り付け作業に先立って切り落とされ、その余白領域Ｗが切り落とされたカット紙Ｃ１，Ｃ３の端部（一方の記録紙の端部に相当）がカット紙Ｃ２，Ｃ４の左側糊代領域ＬＴにそれぞれ重ね合わされる。
【０１４３】
ＰＣ５０によれば、長尺印刷処理のＳ３の処理により、カット紙Ｃ１，Ｃ３の端部に印刷された画像であって、糊代幅ＸＴの１／２量の画像を重複して、画像Ｇ１２（所定量の画像に相当）、画像Ｇ３４（所定量の画像に相当）として左側糊代領域ＬＴに印刷させることができる。したがって、左側糊代領域ＬＴが露出した場合であっても、画像Ｇ１（一方の画像に相当）と画像Ｇ２（他方の画像に相当）、及び画像Ｇ３（一方の画像に相当）と画像Ｇ４（他方の画像に相当）とが一見、連続して見える。よって、左側糊代領域ＬＴの空白部分が露出することによる見映えの低下を抑制できる。また、この左側糊代領域ＬＴにも、画像が印刷されない禁止領域Ｈが設けられているため、糊付けがし易い。
【０１４４】
また、ＰＣ５０によれば、ロール紙Ｒの搬送方向終端が検出されることにより印刷が中断される場合には、１ライン分の印刷データを印刷装置に送信した後（Ｓ１７）、トンボマークや下部マーカーの印刷データを印刷装置に送信し（Ｓ２１またはＳ２２）、さらにＳ２３の処理により、印刷終了コマンドを印刷装置１０に送信して印刷を終了させるので、印刷中断前に送信された画像の終端を構成する最終の１ライン、およびトンボマークや下部マーカーをきれいに印刷することができる。また、印刷終了コマンドを送信しているので、印刷再開時に受信するデータが初期化コマンドであることを印刷装置１０が認識できるので、印刷再開時に受信する初期化コマンドを印刷データと取り違え、印刷装置１０において、文字化けなどの異常な印刷が行われることを抑制できる。このように、印刷の最中にロール紙の搬送方向終端を検出したときであっても印刷を中断し、次のロール紙をセット後、正常に印刷を再開することができるので、１枚のロール紙内に画像が収まるように印刷データを準備しておく必要がなく、また、印刷前にロール紙の残り長さを確認する必要がない。
【０１４５】
なお、請求項１記載の送信手段としては、長尺印刷処理（図５）のＳ１７の処理が該当し、糊代領域取得手段としては、長尺印刷処理（図４）のＳ２の処理が該当し、糊代領域印刷制御手段としては、長尺印刷処理（図４）のＳ３の処理、及び上側糊代領域印刷処理（Ｓ１０）が該当する。請求項４記載のマーク印刷制御手段としては、長尺印刷処理（図４，図５）のＳ８の処理とＳ２１の処理、及び上側糊代領域印刷処理（図９）のＳ１００７の処理が該当する。
【０１４６】
また、請求項５記載の送信手段としては、長尺印刷処理（図５）のＳ１７の処理が該当し、送信中断手段としては長尺印刷処理（図５）のＳ２３の処理が該当し、送信再開手段としては上側糊代領域印刷処理（図９）のＳ１００２の処理が該当し、糊代領域取得手段としては、長尺印刷処理（図４）のＳ２の処理が該当し、糊代領域印刷制御手段としては、長尺印刷処理（図４）の上側糊代領域印刷処理（Ｓ１０）が該当する。
【０１４７】
また、請求項９記載の禁止領域作成手段としては、上側糊代領域印刷処理（図９）のＳ１００１の処理が該当する。請求項１１記載のマーク印刷制御手段としては、上側糊代領域印刷処理（図９）のＳ１００７の処理が該当する。
【０１４８】
また、請求項１６記載の送信中断工程としては長尺印刷処理（図５）のＳ２３の処理が該当し、送信再開工程としては上側糊代領域印刷処理（図９）のＳ１００２の処理が該当し、糊代領域印刷制御工程としては、長尺印刷処理（図４）の上側糊代領域印刷処理（Ｓ１０）が該当する。
【０１４９】
また、請求項２０記載の禁止領域作成工程としては、上側糊代領域印刷処理（図９）のＳ１００１の処理が該当する。請求項２２記載のマーク印刷制御手段としては、上側糊代領域印刷処理（図９）のＳ１００７の処理が該当する。
【０１５０】
また、請求項２３記載の送信手段としては、長尺印刷処理（図５）のＳ１７の処理が該当し、糊代領域取得手段としては、長尺印刷処理（図４）のＳ２の処理が該当し、糊代領域印刷制御手段としては、長尺印刷処理（図４）のＳ３の処理、及び上側糊代領域印刷処理（Ｓ１０）が該当する。請求項２６記載のマーク印刷制御手段としては、長尺印刷処理（図４，図５）のＳ８の処理とＳ２１の処理、及び上側糊代領域印刷処理（図９）のＳ１００７の処理が該当する。
【０１５１】
また、請求項２７記載の送信手段としては、長尺印刷処理（図５）のＳ１７の処理が該当し、送信中断手段としては長尺印刷処理（図５）のＳ２３の処理が該当し、送信再開手段としては上側糊代領域印刷処理（図９）のＳ１００２の処理が該当し、糊代領域取得手段としては、長尺印刷処理（図４）のＳ２の処理が該当し、糊代領域印刷制御手段としては、長尺印刷処理（図４）の上側糊代領域印刷処理（Ｓ１０）が該当する。
【０１５２】
また、請求項３１記載の禁止領域作成手段としては、上側糊代領域印刷処理（図９）のＳ１００１の処理が該当する。請求項３３記載のマーク印刷制御手段としては、上側糊代領域印刷処理（図９）のＳ１００７の処理が該当する。
【０１５３】
以上、実施例に基づき本発明を説明したが、本発明は上述した実施例に何ら限定されるものではなく、本発明の趣旨を逸脱しない範囲内で種々の改良変更が可能であることは容易に推察できるものである。
【０１５４】
例えば本実施例では、下側の画像Ｇ２の搬送方向始端部に上側糊代領域ＵＴが作成されていたが（図１０参照）、上側の画像Ｇ１の搬送方向終端部に糊代領域を作成するものであっても良い。図１３は、２枚のロール紙Ｒ１とロール紙Ｒ２のうち、上側の画像Ｇ１の搬送方向終端部に下側糊代領域ＤＴが作成されている図である。このような場合には、印刷中断条件が成立したあと、左右マーカー６３Ｌ，６３Ｒを印刷するための印刷データを送信した後、所定ライン数の印刷データを送信しつつ、その所定ライン数の印刷データをキャッシュメモリ５３ｆに保存する。そして、印刷データの送信を再開させる際に、キャッシュメモリ５３ｆに保存された印刷データを送信することにより、印刷データの送信が中断されるまでに送信された印刷データに基づく最終のラインよりも、所定ライン数前の印刷データから、印刷データの送信を再開させることにより、上側の画像Ｇ１と下側の画像Ｇ２とを所定量重複させて下側糊代領域ＤＴに印刷させることができる。
【０１５５】
また上記実施例では、印刷データの送信を再開させる際に、まずキャッシュメモリ５３ｆに保存されている印刷データを送信することにより、印刷データの送信が中断されるまでに送信された印刷データを所定量重複して送信していたが、キャッシュメモリ５３ｆを用いることに代えて、入力画像データの読み出し位置を示すポインタを、所定量戻すことにより、印刷データを所定量重複して送信しても良い。
【０１５６】
例えば、本実施例では、上側糊代領域ＵＴ及び左側糊代領域ＬＴに禁止領域Ｈが設けられていたが、禁止領域Ｈを設けないものであってもよい。
【０１５７】
また、本実施例では、ロール紙に向かって左側に糊代領域を設ける場合を説明したが、ロール紙に向かって右側に糊代領域を設けるものであっても良い。
【０１５８】
また、本実施例では、ロール紙の縁辺に余白領域Ｗが設けられていたが、余白領域が設けられなくても良い。
【０１５９】
また、図１２に示すように、ロール紙Ｒに代えてカット紙を用いる場合には、予め記録紙の長さが容易に分かるので、記録紙の副走査方向（入力画像データの列方向）における印刷範囲を予め設定し、印刷中断条件の成立の有無に拘わらず、各記録紙に各印刷範囲の画像を印刷するものであってもよい。
【図面の簡単な説明】
【０１６０】
【図１】本発明の印刷制御装置であるＰＣの構成を示すブロック図である。
【図２】キャッシュメモリの構成図である。
【図３】入力画像データの印刷範囲を示す図である。
【図４】本実施例のＰＣで実行される長尺印刷処理のフローチャートである。
【図５】本実施例のＰＣで実行される長尺印刷処理のフローチャートであって、図４に示すフローチャートの続きを示すフローチャートである。
【図６】本実施例のＰＣから送信されるデータに従って印刷装置で印刷される印刷物を示す図である。
【図７】本実施例のＰＣで実行される送信再開処理のフローチャートである。
【図８】（ａ）は本実施例のＰＣで実行されるキャッシュ初期化処理のフローチャートであり、（ｂ）は本実施例のＰＣで実行されるキャッシュ書込処理のフローチャートである。
【図９】本実施例のＰＣで実行される上側糊代領域印刷処理のフローチャートである。
【図１０】本実施例のＰＣから送信されるデータに従って長尺のロール紙Ｒ１とロール紙Ｒ２とに分割して印刷された文字「太」を示す図である。
【図１１】図１０に示すロール紙Ｒ１をロール紙Ｒ２の上側糊代領域ＵＴに重ね合わせた後の状態を示す図である。
【図１２】ロール紙Ｒに代えて、カット紙Ｃを用いた場合に、４枚のカット紙に分割して印刷された文字「太」を示す図である。
【図１３】２枚のロール紙Ｒ１とロール紙Ｒ２のうち、上側の画像Ｇ１が印刷されたロール紙Ｒ１に下側糊代領域ＤＴが作成されている図である。
【図１４】従来技術において２枚の記録紙に分割して印刷された文字「太」を示す図であり（ａ）は、貼り合わせる前を示す図であり、（ｂ）は、一方の記録紙を他方の記録紙に形成された糊代領域に重ね合わせて貼り合わせた後を示す図である。
【符号の説明】
【０１６１】
１０                              印刷装置（印刷手段）
１５                              キャリッジ
１６                              シート搬送モータ（搬送手段）
５０                              ＰＣ（印刷制御手段）
６２ａ                            上部マーカー（マーク）
６２ｂ                            下部マーカー（マーク）
６３Ｌ，６３Ｒ                    左右マーカー（マーク）
Ｒ１，Ｒ２                        ロール紙（記録紙）
Ｃ１，Ｃ２，Ｃ３，Ｃ４            カット紙（記録紙）
ＵＴ                              上側糊代領域（糊代領域）
ＬＴ                              左側糊代領域（糊代領域）
ＤＴ                              下側糊代領域（糊代領域）
Ｇ１２，Ｇ１３，Ｇ２４，Ｇ３４    画像（所定量の画像）
Ｈ                                禁止領域
Ｗ                                余白領域
【図１】
2006051626.tif 000003
【図２】
2006051626.tif 000004
【図３】
2006051626.tif 000005
【図４】
2006051626.tif 000006
【図５】
2006051626.tif 000007
【図６】
2006051626.tif 000008
【図７】
2006051626.tif 000009
【図８】
2006051626.tif 000010
【図９】
2006051626.tif 000011
【図１０】
2006051626.tif 000012
【図１１】
2006051626.tif 000013
【図１２】
2006051626.tif 000014
【図１３】
2006051626.tif 000015
【図１４】
2006051626.tif 000016